(57)【特許請求の範囲】
【請求項１】
引出枠と、
前記引出枠に対して引出可能に構成された本体部と、
前記本体部に接続された本体部側厚肉部と、前記本体部側厚肉部と第１方向に沿って並んでいる本体部側薄肉部とを含む本体部側端子と、
前記第１方向に沿って前記本体部側端子と向かい合うように前記引出枠に接続された引出枠側端子と、
前記引出枠の内部において前記引出枠側端子に接続可能であるジャンクションとを備え、
前記本体部側端子は、前記本体部が前記引出枠に対して移動することで前記ジャンクションに接続可能に構成されており、
前記本体部側薄肉部は、前記第１方向に直交する第２方向に沿って互いに平行に向かい合う本体部側第１面および本体部側第２面を有し、
前記ジャンクションは、前記本体部側第１面および前記本体部側第２面を前記第２方向に沿って挟み込むことで前記本体部側薄肉部に接続可能である第１フィンガーおよび第２フィンガーを含み、
前記本体部側厚肉部の前記第１方向に沿った寸法は、前記本体部側薄肉部の前記第１方向に沿った寸法よりも大きく、
前記本体部側薄肉部の前記第２方向に沿った寸法は、前記本体部側厚肉部の前記第２方向に沿った寸法よりも小さく、
前記本体部側薄肉部の前記本体部側第１面および前記本体部側第２面は、平坦であり、
前記ジャンクションと前記本体部側厚肉部との前記第１方向に沿った第１最短距離は、前記ジャンクションに短時間耐電流試験の最大電流が流れたときの前記ジャンクションの前記第１方向に沿った距離の最大増加量よりも大きく、
前記本体部側薄肉部は、前記第１方向における先端部を有し、
前記ジャンクションの前記本体部側薄肉部と接触している部分と前記先端部との前記第１方向に沿った第２最短距離は、短時間耐電流試験の最大電流が流れたときの前記本体部側端子と前記引出枠側端子との前記第１方向に沿った距離の前記最大増加量および前記第１最短距離の和よりも大きい、引出形遮断器。
【請求項２】
前記本体部側薄肉部の前記第２方向に沿った寸法は、前記引出枠側端子の前記第２方向に沿った寸法の０．３倍以上かつ１．０倍以下であり、
前記本体部側薄肉部の前記第２方向に沿った寸法および前記本体部側厚肉部との前記第２方向に沿った寸法の和は、前記引出枠側端子の前記第２方向に沿った寸法の１．５倍以上である、請求項１に記載の引出形遮断器。
【請求項３】
前記本体部側端子は、第１本体部側厚肉部および前記第１本体部側厚肉部と前記第１方向に沿って並んだ第１本体部側薄肉部を有する第１本体部側端子部と、第２本体部側厚肉部および前記第２本体部側厚肉部と前記第１方向に沿って並んだ第２本体部側薄肉部を有しかつ前記第１本体部側端子部に電気的に接続された第２本体部側端子部とを含み、
前記第２本体部側端子部は、前記第２方向に沿って前記第１本体部側端子部から離れて配置されており、
前記ジャンクションは、前記第２方向に沿って前記第１本体部側薄肉部を挟み込む第１ジャンクション部と、前記第２方向に沿って前記第２本体部側薄肉部を挟み込む第２ジャンクション部とを含み、
前記第１本体部側薄肉部の前記第２方向に沿った寸法は、前記第１本体部側厚肉部の前記第２方向に沿った寸法よりも小さく、
前記第２本体部側薄肉部の前記第２方向に沿った寸法は、前記第２本体部側厚肉部の前記第２方向に沿った寸法よりも小さい、請求項１または２に記載の引出形遮断器。
【請求項４】
前記第１本体部側薄肉部は、前記第１本体部側厚肉部の前記第２方向における前記第１本体部側端子部の中央に対して前記第２方向において前記第２本体部側薄肉部とは反対側に配置されており、
前記第２本体部側薄肉部は、前記第２本体部側厚肉部の前記第２方向における前記第２本体部側端子部の中央に対して前記第２方向において前記第１本体部側薄肉部とは反対側に配置されている、請求項３に記載の引出形遮断器。
【請求項５】
前記本体部側端子は、第３本体部側薄肉部を有しかつ前記第１本体部側端子部に電気的に接続された第３本体部側端子部を含み、
前記第３本体部側端子部は、前記第１方向および前記第２方向の各々に直交する第３方向に沿って前記第１本体部側端子部から離れて配置されており、
前記ジャンクションは、前記第２方向に沿って前記第３本体部側薄肉部を挟み込む第３ジャンクション部を含み、
前記第１本体部側薄肉部は、前記第１ジャンクション部から離れて配置されかつ前記第１ジャンクション部に対して前記第２本体部側端子部とは反対側に配置された前記第３方向における第１端部を有し、
前記第３本体部側薄肉部は、前記第３ジャンクション部から離れて配置されかつ前記第３ジャンクション部に対して前記第１本体部側端子部とは反対側に配置された前記第３方向における第３端部を有し、
前記第１端部と前記第１ジャンクション部との前記第３方向に沿った第３最短距離は、短時間耐電流試験の最大電流が流れたときの前記第１ジャンクション部の前記第３方向に沿った第１最大変位量よりも大きく、
前記第３端部と前記第３ジャンクション部との前記第３方向に沿った第４最短距離は、短時間耐電流試験の最大電流が流れたときの前記第３ジャンクション部の前記第３方向に沿った第３最大変位量よりも大きい、請求項３または４に記載の引出形遮断器。
【請求項６】
前記本体部側端子は、前記第１方向に沿って前記本体部側厚肉部と前記本体部側薄肉部との間に配置された本体部側段部を含み、
前記第１フィンガーおよび前記第２フィンガーは、前記第２方向に沿って間隔を空けて前記本体部側段部を挟み込んでおり、
前記本体部側段部の前記第２方向に沿った寸法は、前記本体部側薄肉部の前記第２方向に沿った寸法よりも大きくかつ前記本体部側厚肉部の前記第２方向に沿った寸法よりも小さい、請求項１〜５のいずれか１項に記載の引出形遮断器。
【請求項７】
前記本体部側端子は、前記本体部側厚肉部から前記本体部側薄肉部に沿って配置された本体部側ストッパー部を含み、
前記第１フィンガーは、第１フィンガー部および第２フィンガー部を含み、
前記第２フィンガーは、第３フィンガー部および第４フィンガー部を含み、
前記第１フィンガー部および前記第２フィンガー部は、前記本体部側ストッパー部を前記本体部側薄肉部の厚み方向に沿って挟み込んでおり、
前記第３フィンガー部および前記第４フィンガー部は、前記本体部側ストッパー部を前記本体部側薄肉部の前記厚み方向に沿って挟み込んでいる、請求項１〜６のいずれか１項に記載の引出形遮断器。
【請求項８】
Ｒ相の電流、Ｓ相の電流およびＴ相の電流の３相の電流が流れ、
前記本体部は、Ｒ相の電流が流れるためのＲ相本体部、Ｓ相の電流が流れるためのＳ相本体部およびＴ相の電流が流れるためのＴ相本体部を含み、
前記Ｒ相本体部、前記Ｓ相本体部および前記Ｔ相本体部は、前記第２方向に沿って順次配置されており、
前記本体部側端子は、前記Ｒ相本体部に接続されたＲ相本体部側端子部と、前記Ｓ相本体部に接続されたＳ相本体部側端子部と、前記Ｔ相本体部に接続されたＴ相本体部側端子部とを含み、
前記ジャンクションは、Ｒ相ジャンクション部と、Ｓ相ジャンクション部と、Ｔ相ジャンクション部とを含み、
前記引出枠側端子は、前記Ｒ相ジャンクション部によって前記Ｒ相本体部側端子部に電気的に接続されたＲ相引出枠側端子部と、前記Ｓ相ジャンクション部によって前記Ｓ相本体部側端子部に電気的に接続されたＳ相引出枠側端子部と、前記Ｔ相ジャンクション部によって前記Ｔ相本体部側端子に電気的に接続されたＴ相引出枠側端子部とを含み、
前記Ｒ相本体部側端子部と前記Ｒ相引出枠側端子部との前記第１方向に沿ったＲ相最短距離および前記Ｔ相本体部側端子部と前記Ｔ相引出枠側端子部との前記第１方向に沿ったＴ相最短距離の各々は、前記Ｓ相本体部側端子部と前記Ｓ相引出枠側端子部との前記第１方向に沿ったＳ相最短距離よりも短い、請求項１〜７のいずれか１項に記載の引出形遮断器。
【請求項９】
前記第１フィンガーは、前記本体部側薄肉部と前記引出枠側端子とを電気的に接続する第１接続部と、前記本体部側薄肉部と前記引出枠側端子の間で前記第１接続部に接続された第１突出部とを含み、
前記第２フィンガーは、前記本体部側薄肉部と前記引出枠側端子とを電気的に接続する第２接続部と、前記本体部側薄肉部と前記引出枠側端子の間で前記第２接続部に接続された第２突出部とを含み、
前記第１突出部は、前記第２方向に沿って前記第２フィンガーに向かって伸びており、
前記第２突出部は、前記第２方向に沿って前記第１フィンガーに向かって伸びており、
前記第２突出部は、前記第１方向および前記第２方向の各々に直交する方向に沿って、前記第１突出部に重なっている、請求項１〜８のいずれか１項に記載の引出形遮断器。
【請求項１０】
前記直交する方向に沿った前記第１突出部の寸法は、前記直交する方向に沿った前記第１接続部の寸法よりも小さく、
前記直交する方向に沿った前記第２突出部の寸法は、前記直交する方向に沿った前記第２接続部の寸法よりも小さく、
前記第１接続部と前記第２接続部との間に前記第１突出部および前記第２突出部が配置されるように前記第１突出部が前記直交する方向に沿って前記第２突出部に重ねられることで前記第１フィンガーが前記第２フィンガーに嵌め合わせられている、請求項９に記載の引出形遮断器。
【請求項１１】
前記第１接続部には、前記第２方向に沿って前記第２接続部に向かって凹んだ第１凹部が設けられており、
前記第２接続部には、前記第２方向に沿って前記第１接続部に向かって凹んだ第２凹部が設けられており、
前記ジャンクションは、前記第１接続部に対して前記第２接続部とは反対側で前記第１接続部に取り付けられた第１バネ部と、前記第２接続部に対して前記第１接続部とは反対側で前記第２接続部に取り付けられた第２バネ部と、前記第１バネ部と前記第２バネ部とを前記第１方向に沿って挟み込む枠部とを含んでおり、
前記第１バネ部は、前記第１フィンガーの前記第１凹部に沿って変形可能に構成されており、
前記第２バネ部は、前記第２フィンガーの前記第２凹部に沿って変形可能に構成されている、請求項９または１０に記載の引出形遮断器。
【発明の詳細な説明】
【技術分野】
【０００１】
本開示は、引出形遮断器に関するものである。
【背景技術】
【０００２】
従来、引出形遮断器の本体部側端子および引出枠側端子は、ジャンクションに対して着脱可能である。本体部側端子および引出枠側端子がジャンクションに挿入された状態では、ジャンクションの第１フィンガーおよび第２フィンガーが本体部側端子を挟み込んでいる。本体部側端子がジャンクションに挿入された状態では、本体部側端子および引出枠側端子は、通電する。本体部側端子および引出枠側端子が通電した状態では、第１フィンガーおよび第２フィンガーには、互いに近付く方向にローレンツ力が作用している。引出形遮断器では、事故時における短絡電流に対する強度の保証のために、定格に対して決められた電流が引出形遮断器に流された場合であっても引出形遮断器の強度に問題がないことが検証される短時間耐電流試験が行われる。短時間耐電流試験では、第１フィンガーおよび第２フィンガーの本体部側端子からの乖離が抑えられることが検証される。【０００３】
上記の引出形遮断器として、特開２００８−１０３３２８号公報（特許文献１）に記載の気中遮断器がある。接続子（本体部側端子）の端部側面には、フィンガーモジュール（ジャンクション）の一対の接触子（第１フィンガーおよび第２フィンガー）と噛み合う屈曲面が設けられている。一対の接触子は、屈曲面を挟み込んでいる。接続子の屈曲面によって最も凹んだ部分では、接続子の他の部分よりも接触子同士の距離が近い。このため、最も凹んだ部分では、一対の接触子を互いに近づける方向に作用するローレンツ力が他の部分よりも大きい。よって、短時間耐電流試験における性能が向上する。
【先行技術文献】
【特許文献】
【０００４】
【特許文献１】特開２００８−１０３３２８号公報（特許文献１）
【発明の概要】
【発明が解決しようとする課題】
【０００５】
上記文献に記載された引出形遮断器では、本体部側端子がジャンクションに着脱される際に、第１フィンガーおよび第２フィンガーが屈曲面に沿うように、第１フィンガーおよび第２フィンガーを回動させる必要がある。このため、本体部側端子とジャンクションとの脱着性が低下する。【０００６】
本開示は上記課題に鑑みてなされたものであり、その目的は、本体部側端子とジャンクションとの脱着性の低下を抑制することができる引出形遮断器を提供することである。
【課題を解決するための手段】
【０００７】
本開示の引出形遮断器は、引出枠と、本体部と、本体部側端子と、引出枠側端子と、ジャンクションとを備えている。本体部は、引出枠に対して引出可能に構成されている。本体部側端子は、本体部側厚肉部と、本体部側薄肉部とを含んでいる。本体部側厚肉部は、本体部に接続されている。本体部側薄肉部は、本体部側厚肉部と第１方向に沿って並んでいる。引出枠側端子は、第１方向に沿って本体部側端子と向かい合うように引出枠に接続されている。ジャンクションは、引出枠の内部において引出枠側端子に接続可能である。本体部側端子は、本体部が引出枠に対して移動することでジャンクションに接続可能に構成されている。本体部側薄肉部は、本体部側第１面および本体部側第２面を有している。本体部側第１面および本体部側第２面は、第２方向に沿って互いに平行に向かい合っている。第２方向は、第１方向に直交している。ジャンクションは、第１フィンガーおよび第２フィンガーを含んでいる。ジャンクションの第１フィンガーおよび第２フィンガーは、本体部側第１面および本体部側第２面を第２方向に沿って挟み込むことで本体部側薄肉部に接続可能である。本体部側厚肉部の第１方向に沿った寸法は、本体部側薄肉部の第１方向に沿った寸法よりも大きい。本体部側薄肉部の第２方向に沿った寸法は、本体部側厚肉部の第２方向に沿った寸法よりも小さい。本体部側薄肉部の本体部側第１面および本体部側第２面は、平坦である。ジャンクションと本体部側厚肉部との第１方向に沿った第１最短距離は、ジャンクションに短時間耐電流試験の最大電流が流れたときのジャンクションの第１方向に沿った距離の最大増加量よりも大きい。本体部側薄肉部は、第１方向における先端部を有している。ジャンクションの本体部側薄肉部と接触している部分と先端部との第１方向に沿った第２最短距離は、短時間耐電流試験の最大電流が流れたときの本体部側端子と引出枠側端子との第１方向に沿った距離の最大増加量および第１最短距離の和よりも大きい。
【発明の効果】
【０００８】
本開示の引出形遮断器によれば、本体部側薄肉部の本体部側第１面および本体部側第２面は、平坦である。よって、ジャンクションの第１フィンガーおよび第２フィンガーが本体部側薄肉部を挟み込む際に力を小さくすることができる。したがって、脱着性の低下を抑制することができる。
【図面の簡単な説明】
【０００９】
【図１】実施の形態１に係る引出形遮断器の構成を概略的に示す部分断面上面図である。
【図２】実施の形態１に係る引出形遮断器の構成を概略的に示す部分断面側面図である。
【図３】実施の形態１に係る引出形遮断器の構成を概略的に示す部分断面拡大上面図である。
【図４】実施の形態１に係る引出形遮断器の第１本体部側端子部、第２本体部側端子部、第１引出枠側端子、第２引出枠側端子部、第１ジャンクション部、第２ジャンクション部、引出枠および本体部の構成を概略的に示す部分断面上面図である。
【図５】実施の形態１に係る引出形遮断器の第３本体部側端子部、第４本体部側端子部、第３引出枠側端子、第４引出枠側端子部、第３ジャンクション部、第４ジャンクション部、引出枠および本体部の構成を概略的に示す部分断面上面図である。
【図６】実施の形態１に係る引出形遮断器の第１本体部側端子部、第３本体部側端子部、第１引出枠側端子、第３引出枠側端子部、第１ジャンクション部、第３ジャンクション部、引出枠および本体部の構成を概略的に示す部分断面側面図である。
【図７】実施の形態１に係る引出形遮断器の第２本体部側端子部、第４本体部側端子部、第２引出枠側端子、第４引出枠側端子部、第２ジャンクション部、第４ジャンクション部、引出枠および本体部の構成を概略的に示す部分断面側面図である。
【図８】実施の形態１に係る引出形遮断器のＲ相部、Ｓ相部およびＴ相部の構成を概略的に示す部分断面上面図である。
【図９】実施の形態１に係る交流電流の時間変化を概略的に示すグラフである。
【図１０】実施の形態１に係る引出形遮断器に生じる第１のローレンツ力を概略的に示す拡大上面図である。
【図１１】実施の形態１に係る引出形遮断器に生じる第２のローレンツ力を概略的に示す部分断面上面図である。
【図１２】実施の形態１に係る引出形遮断器に生じる第３のローレンツ力を概略的に示す部分断面上面図である。
【図１３】実施の形態１に係る引出形遮断器に生じる第４のローレンツ力を概略的に示す部分断面上面図である。
【図１４】実施の形態１に係る引出形遮断器が第２方向にずれた様子を概略的に示す部分断面上面図である。
【図１５】第１フィンガーおよび第２フィンガーの本体部側端子との接触数の時間変化を概略的に示すグラフである。
【図１６】実施の形態１に係る厚肉部の厚さと吸引力との関係を概略的に示すグラフである。
【図１７】実施の形態２に係る引出形遮断器の構成を概略的に示す部分断面上面図である。
【図１８】実施の形態３に係る引出形遮断器の構成を概略的に示す部分断面上面図である。
【図１９】実施の形態３に係る引出形遮断器の本体部側ストッパー部が第１フィンガーの第１フィンガー部および第２フィンガー部ならびに第２フィンガーの第３フィンガー部および第４フィンガー部に挟み込まれた状態を概略的に示す断面図である。
【図２０】実施の形態３に係る引出形遮断器の引出枠側ストッパー部が第１フィンガーの第１フィンガー部および第２フィンガー部ならびに第２フィンガーの第３フィンガー部および第４フィンガー部に挟み込まれた状態を概略的に示す断面図である。
【図２１】実施の形態４に係る引出形遮断器の構成を概略的に示す部分断面上面図である。
【図２２】実施の形態４に係る引出形遮断器の構成を概略的に示す部分断面拡大上面図である。
【図２３】実施の形態５に係る引出形遮断器の構成を概略的に示す部分断面上面図である。
【図２４】実施の形態６に係る引出形遮断器の構成を概略的に示す部分断面上面図である。
【図２５】実施の形態６に係る引出形遮断器の第１フィンガーおよび第２フィンガーが嵌め合わされた状態を概略的に示す断面図である。
【図２６】実施の形態６に係る引出形遮断器に生じる電流密度ベクトルを概略的に示す上面図である。
【図２７】突出部が設けられていない引出形遮断器に生じる電流密度ベクトルを概略的に示す上面図である。
【図２８】実施の形態６に係る引出形遮断器および突出部が設けられていない引出形遮断器に生じる吸引力を概略的に示すグラフである。
【図２９】実施の形態７に係る引出形遮断器の構成を概略的に示す部分断面上面図である。
【図３０】実施の形態７に係る引出形遮断器の第１フィンガーおよび第２フィンガーが嵌め合わされた状態を概略的に示す断面図である。
【図３１】実施の形態８に係る引出形遮断器の構成を概略的に示す部分断面上面図である。
【図３２】引出形遮断器の抵抗値が一定である状態における厚肉部の厚さと薄肉部の厚さとの関係を概略的に示すグラフである。
【発明を実施するための形態】
【００１０】
以下、実施の形態について図に基づいて説明する。なお、以下では、同一または相当する部分に同一の符号を付すものとし、重複する説明は繰り返さない。
【００１１】
実施の形態１．
図１〜図３を用いて、実施の形態１に係る引出形遮断器１００の構成を説明する。
【００１２】
図１に示されるように、引出形遮断器１００は、本体部側端子１と、引出枠側端子４と、本体部Ｂと、引出枠Ｆと、ジャンクションＪとを含んでいる。引出形遮断器１００は、いわゆる気中遮断器である。図１は、引出枠Ｆの内部と外部とを示す部分断面上面図である。
【００１３】
引出枠Ｆは、図示されない盤等に固定されている。本体部Ｂは、引出枠Ｆに対して引出可能に構成されている。本体部Ｂは、後述される第１方向ＤＲ１（Ｘ軸方向）に沿って引出枠Ｆに対して引出可能に構成されている。本体部Ｂは、例えば、引出枠Ｆに取り付けられた図示されないレール等によって引出枠Ｆに対して引出可能に構成されている。
【００１４】
本体部Ｂが引出枠Ｆの内部から引き出されることで、ジャンクションＪが本体部側端子１から外れる。これにより、通電路が絶たれるため、引出形遮断器１００が断路状態になる。例えば、引出形遮断器１００に点検等が実施される際には、引出形遮断器１００は断路状態である。
【００１５】
ジャンクションＪは、引出枠Ｆの内部において本体部側端子１および引出枠側端子４に接続可能である。ジャンクションＪは、第１フィンガー７および第２フィンガー８を含んでいる。ジャンクションＪは、第１フィンガー７および第２フィンガー８の間に本体部側端子１が挿抜されるように構成されている。これにより、本体部側端子１がジャンクションＪに接続可能に構成されている。本体部側端子１がジャンクションＪに接続された状態において、第１フィンガー７および第２フィンガー８は、本体部側端子１および引出枠側端子４を挟み込んでいる。
【００１６】
第１フィンガー７は、図示されない第１フィンガー部および第２フィンガー部を含んでいる。第１フィンガー部および第２フィンガー部は、後述される第３方向ＤＲ３（Ｚ軸方向）に沿って積層されている。第１フィンガー部および第２フィンガー部の数は、例えば、計１０本以上１００本以下である。第２フィンガー８は、図示されない第３フィンガー部および第４フィンガー部を含んでいる。第３フィンガー部および第４フィンガー部は、第３方向ＤＲ３（Ｚ軸方向）に沿って積層されている。第３フィンガー部および第４フィンガー部の数は、例えば、計１０本以上１００本以下である。
【００１７】
本体部側端子１は、本体部Ｂが引出枠Ｆに対して移動することでジャンクションＪに接続可能に構成されている。本体部側端子１は、本体部側厚肉部２と、本体部側薄肉部３とを含んでいる。本体部側厚肉部２は、本体部Ｂに接続されている。本体部側厚肉部２は、本体部Ｂに固定されている。ジャンクションＪは、引出枠Ｆの内部において本体部側厚肉部２から離れて配置されている。
【００１８】
本体部側薄肉部３は、本体部側厚肉部２と第１方向ＤＲ１（Ｘ軸方向）に沿って並んでいる。本体部側薄肉部３は、本体部側厚肉部２から本体部Ｂとは反対側に向かって突き出している。
【００１９】
本体部側薄肉部３は、本体部側第１面１Ｓ１および本体部側第２面１Ｓ２を有している。本体部側第１面１Ｓ１および本体部側第２面１Ｓ２は、第２方向ＤＲ２（Ｙ軸方向）に沿って互いに平行に向かい合っている。第２方向ＤＲ２（Ｙ軸方向）は、第１方向ＤＲ１（Ｘ軸方向）に直交している。本体部側薄肉部３の本体部側第１面１Ｓ１および本体部側第２面１Ｓ２は、平坦である。このため、本体部側薄肉部３は、平板状である。
【００２０】
なお、本実施の形態において、第１方向ＤＲ１（Ｘ軸方向）は、本体部側厚肉部２と本体部側薄肉部３とが並んでいる方向である。第２方向ＤＲ２（Ｙ軸方向）は、本体部側第１面１Ｓ１および本体部側第２面１Ｓ２が向かい合う方向である。図１および図２に示されるように、第３方向ＤＲ３（Ｚ軸方向）は、第１方向ＤＲ１（Ｘ軸方向）および第２方向ＤＲ２（Ｙ軸方向）の各々に直交する方向である。Ｘ軸方向は、第１方向ＤＲ１（Ｘ軸方向）に沿った方向である。Ｙ軸方向は、第２方向ＤＲ２（Ｙ軸方向）に沿った方向である。Ｚ軸方向は、第３方向ＤＲ３（Ｚ軸方向）に沿った方向である。
【００２１】
図１に示されるように、本体部側厚肉部２の第１方向ＤＲ１（Ｘ軸方向）に沿った寸法は、本体部側薄肉部３の第１方向ＤＲ１（Ｘ軸方向）に沿った寸法よりも大きい。このため、本体部側厚肉部２は、本体部側薄肉部３よりも長い。図３に示されるように、本体部側薄肉部３の第２方向ＤＲ２（Ｙ軸方向）に沿った寸法は、本体部側厚肉部２の第２方向ＤＲ２（Ｙ軸方向）に沿った寸法よりも小さい。このため、本体部側薄肉部３は、本体部側厚肉部２よりも薄い。
【００２２】
本実施の形態に係る本体部側薄肉部３の第２方向ＤＲ２（Ｙ軸方向）に沿った寸法は、引出枠側端子４の第２方向ＤＲ２（Ｙ軸方向）に沿った寸法の０．３倍以上かつ１．０倍以下である。本体部側薄肉部３の第２方向ＤＲ２（Ｙ軸方向）に沿った寸法および本体部側厚肉部２との第２方向ＤＲ２（Ｙ軸方向）に沿った寸法の和は、引出枠側端子４の第２方向ＤＲ２（Ｙ軸方向）に沿った寸法の１．５倍以上である。
【００２３】
第１フィンガー７および第２フィンガー８は、本体部側第１面１Ｓ１および本体部側第２面１Ｓ２を挟み込むことで本体部側薄肉部３に接続可能である。本体部側端子１がジャンクションＪに接続された状態において、第１フィンガー７および第２フィンガー８は、本体部側第１面１Ｓ１および本体部側第２面１Ｓ２を挟み込んでいる。
【００２４】
本体部側端子１がジャンクションＪに接続された状態において、第１フィンガー７および第２フィンガー８の各々には、同じ向きに電流が流れている。第１フィンガー７および第２フィンガー８に流れる電流は、Ｘ軸方向に沿って同じ向きに流れている。
【００２５】
引出枠側端子４は、第１方向ＤＲ１（Ｘ軸方向）に沿って本体部側端子１と向かい合うように引出枠Ｆに接続されている。引出枠側端子４は、引出枠Ｆに固定されている。ジャンクションＪは、引出枠Ｆの内部において本体部側端子１および引出枠側端子４に接続されている。引出枠側端子４は、間隔を空けて本体部側端子１と向かい合っている。
【００２６】
引出枠側端子４は、引出枠側厚肉部５と、引出枠側薄肉部６とを含んでいる。引出枠側厚肉部５は、引出枠Ｆに接続されている。引出枠側厚肉部５は、引出枠Ｆに固定されている。ジャンクションＪは、引出枠Ｆの内部において引出枠側厚肉部５から離れて配置されている。
【００２７】
引出枠側薄肉部６は、引出枠側厚肉部５と第１方向ＤＲ１（Ｘ軸方向）に沿って並んでいる。引出枠側薄肉部６は、引出枠側厚肉部５から引出枠Ｆとは反対側に向かって突き出している。
【００２８】
引出枠側薄肉部６は、引出枠側第１面４Ｓ１および引出枠側第２面４Ｓ２を有している。引出枠側第１面４Ｓ１および引出枠側第２面４Ｓ２は、第２方向ＤＲ２（Ｙ軸方向）に沿って互いに平行に向かい合っている。第２方向ＤＲ２（Ｙ軸方向）は、第１方向ＤＲ１（Ｘ軸方向）に直交している。引出枠側薄肉部６の引出枠側第１面４Ｓ１および引出枠側第２面４Ｓ２は、平坦である。このため、引出枠側薄肉部６は、平板状である。
【００２９】
本体部側第１面１Ｓ１および引出枠側第１面４Ｓ１の各々は、同一平面に配置されていてもよい。本体部側第１面１Ｓ１および引出枠側第１面４Ｓ１の各々が配置された面は、Ｘ軸およびＺ軸がなす平面である。また、本体部側第２面１Ｓ２および本体部側第２面１Ｓ２の各々は、同一平面に配置されていてもよい。第２面および引出枠側第２面４Ｓ２の各々が配置された面は、Ｘ軸およびＺ軸がなす平面である。
【００３０】
図１に示されるように、引出枠側厚肉部５の第１方向ＤＲ１（Ｘ軸方向）に沿った寸法は、引出枠側薄肉部６の第１方向ＤＲ１（Ｘ軸方向）に沿った寸法よりも小さい。このため、引出枠側厚肉部５は、引出枠側薄肉部６よりも短い。引出枠側薄肉部６の第２方向ＤＲ２（Ｙ軸方向）に沿った寸法は、引出枠側厚肉部５の第２方向ＤＲ２（Ｙ軸方向）に沿った寸法よりも小さい。したがって、引出枠側薄肉部６は、引出枠側厚肉部５よりも薄い。
【００３１】
図２に示されるように、引出形遮断器１００には、入口導体Ｃｉｎおよび出口導体Ｃｏｕｔが接続されていてもよい。引出枠側端子４は、変換部品Ｔを介して入口導体Ｃｉｎまたは出口導体Ｃｏｕｔに接続されている。変換部品Ｔは、第１部Ｔ１および第２部Ｔ２を含んでいる。第１部Ｔ１の長手方向は、Ｚ軸に沿っている。第２部Ｔ２は、第１部に対して引出枠側端子４とは反対側で第１部Ｔ１に接続されている。第２部Ｔ２の長手方向は、Ｘ軸に沿っている。第１部Ｔ１には、引出枠側端子４が接続されている。第２部には、入口導体Ｃｉｎまたは出口導体Ｃｏｕｔが接続されている。図２は、引出枠Ｆの内部と外部とを示す部分断面側面図である。
【００３２】
本実施の形態において、引出枠側端子４の長手方向は、Ｚ軸に沿っている。このため、引出枠側端子４の長手方向は、第１部Ｔ１の長手方向と同じである。また、入口導体Ｃｉｎおよび出口導体Ｃｏｕｔの長手方向は、Ｘ軸に沿っている。このため、入口導体Ｃｉｎおよび出口導体Ｃｏｕｔの長手方向は、第２部Ｔ２の長手方向と同じである。また、入口導体Ｃｉｎおよび出口導体Ｃｏｕｔの長手方向は、引出枠側端子４の長手方向と異なっている。引出枠側端子４が変換部品Ｔを介して外部導体に接続されているため、引出枠側端子４の長手方向と入口導体Ｃｉｎおよび出口導体Ｃｏｕｔの長手方向とが異なっている場合であっても、引出枠側端子４が入口導体Ｃｉｎおよび出口導体Ｃｏｕｔに接続されやすい。
【００３３】
次に、図３〜図７を用いて、実施の形態１に係るジャンクションＪ、本体部側端子１および引出枠側端子４の構成を詳細に説明する。
【００３４】
図３に示されるように、ジャンクションＪは、第１バネ部９１と、第２バネ部９２と、枠部９３とを含んでいる。第１バネ部９１および第２バネ部９２は、例えば、板バネである。第１バネ部９１は、第１フィンガー７に対して第２フィンガー８とは反対側で第１フィンガー７に取り付けられている。第２バネ部９２は、第２フィンガー８に対して第１フィンガー７とは反対側で第２フィンガー８に取り付けられている。枠部９３は、第１バネ部９１と第２バネ部９２とを第２方向ＤＲ２（Ｙ軸方向）に沿って挟み込んでいる。枠部９３が第１バネ部９１と第２バネ部９２とを第２方向ＤＲ２（Ｙ軸方向）に挟み込むことで、第１フィンガー７および第２フィンガー８が第１バネ部９１および第２バネ部９２によって本体部側端子１および引出枠側端子４に押しつけられている。
【００３５】
第１フィンガー７、第２フィンガー８、第１バネ部９１および第２バネ部９２は、枠部９３に支持されている。また、ジャンクションＪが本体部側端子１および引出枠側端子４に接続されていない状態において、第１フィンガー７および第２フィンガー８は、枠部９３および支持部品ＳＰによって支持されている。
【００３６】
図４および図５に示されるように、本体部側端子１は、第１本体部側端子部１１と、第２本体部側端子部１２と、第３本体部側端子部１３と、第４本体部側端子部１４とを含んでいる。第２本体部側端子部１２、第３本体部側端子部１３および第４本体部側端子部１４は、第１本体部側端子部１１に電気的に接続されている。
【００３７】
引出枠側端子４は、第１引出枠側端子部４１と、第２引出枠側端子部４２と、第３引出枠側端子部４３と、第４引出枠側端子部４４とを含んでいる。第２引出枠側端子部４２、第３引出枠側端子部４３および第４引出枠側端子部４４は、第１引出枠側端子部４１に電気的に接続されている。
【００３８】
ジャンクションＪは、第１ジャンクション部Ｊ１と、第２ジャンクション部Ｊ２と、第３ジャンクション部Ｊ３と、第４ジャンクション部Ｊ４とを含んでいる。
【００３９】
図４に示されるように、第１本体部側端子部１１は、第１本体部側厚肉部２１および第１本体部側薄肉部３１を有している。第１本体部側薄肉部３１は、第１本体部側厚肉部２１と第１方向ＤＲ１（Ｘ軸方向）に沿って並んでいる。第１本体部側薄肉部３１の第２方向ＤＲ２（Ｙ軸方向）に沿った寸法は、第１本体部側厚肉部２１の第２方向ＤＲ２（Ｙ軸方向）に沿った寸法よりも小さい。
【００４０】
第１引出枠側端子部４１は、第１引出枠側厚肉部５１および第１引出枠側薄肉部６１を有している。第１引出枠側薄肉部６１は、第１引出枠側厚肉部５１と第１方向ＤＲ１（Ｘ軸方向）に沿って並んでいる。第１引出枠側薄肉部６１の第２方向ＤＲ２（Ｙ軸方向）に沿った寸法は、第１引出枠側厚肉部５１の第２方向ＤＲ２（Ｙ軸方向）に沿った寸法よりも小さい。
【００４１】
第１ジャンクション部Ｊ１は、第２方向ＤＲ２（Ｙ軸方向）に沿って第１本体部側薄肉部３１を挟み込んでいる。第１ジャンクション部Ｊ１は、第１本体部側薄肉部３１および第１引出枠側薄肉部６１の各々を挟み込むことで第１本体部側端子部１１と第１引出枠側端子部４１とを電気的に接続可能である。
【００４２】
第２本体部側端子部１２は、第２方向ＤＲ２（Ｙ軸方向）に沿って第１本体部側端子部１１から離れて配置されている。第２本体部側端子部１２は、第２本体部側厚肉部２２および第２本体部側薄肉部３２を有している。第２本体部側薄肉部３２は、第２本体部側厚肉部２２と第１方向ＤＲ１（Ｘ軸方向）に沿って並んでいる。第２本体部側薄肉部３２の第２方向ＤＲ２（Ｙ軸方向）に沿った寸法は、第２本体部側厚肉部２２の第２方向ＤＲ２（Ｙ軸方向）に沿った寸法よりも小さい。
【００４３】
第２引出枠側端子部４２は、第２方向ＤＲ２（Ｙ軸方向）に沿って第１引出枠側端子部４１から離れて配置されている。第２引出枠側端子部４２は、第２引出枠側厚肉部５２および第２引出枠側薄肉部６２を有している。第２引出枠側薄肉部６２は、第２引出枠側厚肉部５２と第１方向ＤＲ１（Ｘ軸方向）に沿って並んでいる。第２引出枠側薄肉部６２の第２方向ＤＲ２（Ｙ軸方向）に沿った寸法は、第２引出枠側厚肉部５２の第２方向ＤＲ２（Ｙ軸方向）に沿った寸法よりも小さい。
【００４４】
第２ジャンクション部Ｊ２は、第２方向ＤＲ２（Ｙ軸方向）に沿って第１ジャンクション部Ｊ１から離れて配置されている。第２ジャンクション部Ｊ２は、第２方向ＤＲ２（Ｙ軸方向）に沿って第２本体部側薄肉部３２を挟み込んでいる。第２ジャンクション部Ｊ２は、第２本体部側薄肉部３２および第２引出枠側薄肉部６２の各々を挟み込むことで第２本体部側端子部１２と第２引出枠側端子部４２とを電気的に接続可能である。
【００４５】
第１引出枠側端子部４１、第１ジャンクション部Ｊ１および第１本体部側端子部１１を順次流れる電流は、第２引出枠側端子部４２、第２ジャンクション部Ｊ２および第２本体部側端子部１２を順次流れる電流とは第１方向ＤＲ１（Ｘ軸方向）に沿って同じ向きに流れる。
【００４６】
入口導体Ｃｉｎから引出形遮断器１００に流入した電流は、第１引出枠側端子部４１および第２引出枠側端子部４２において分離した後、本体部Ｂにおいて合流する。具体的には、入口導体Ｃｉｎから引出形遮断器１００に流入した電流は、第１引出枠側端子部４１、第１ジャンクション部Ｊ１および第１本体部側端子部１１を順次通って本体部Ｂに流れる。また、入口導体Ｃｉｎから引出形遮断器１００に流入した電流は、第２引出枠側端子部４２、第２ジャンクション部Ｊ２および第２本体部側端子部１２を順次通って本体部Ｂに流れる。
【００４７】
図６に示されるように、第３本体部側端子部１３は、第３方向ＤＲ３（Ｚ軸方向）に沿って第１本体部側端子部１１から離れて配置されている。第３引出枠側端子部４３は、第３方向ＤＲ３（Ｚ軸方向）に沿って第１引出枠側端子部４１から離れて配置されている。第３ジャンクション部Ｊ３は、第３方向ＤＲ３（Ｚ軸方向）に沿って第１ジャンクション部Ｊ１から離れて配置されている。
【００４８】
第１引出枠側端子部４１、第１ジャンクション部Ｊ１および第１本体部側端子部１１を順次流れる電流は、第３本体部側端子部１３、第２ジャンクション部Ｊ２および第２引出枠側端子部４２を順次流れる電流とは第１方向ＤＲ１（Ｘ軸方向）に沿って逆向きに流れる。なお、図６において、電流の流れは、一点鎖線によって図示されている。
【００４９】
第３本体部側端子部１３は、第３本体部側厚肉部２３および第３本体部側薄肉部３３を有している。第３本体部側薄肉部３３は、第３本体部側厚肉部２３と第１方向ＤＲ１（Ｘ軸方向）に沿って並んでいる。第３本体部側薄肉部３３の第２方向ＤＲ２（Ｙ軸方向）に沿った寸法は、第３本体部側厚肉部２３の第２方向ＤＲ２（Ｙ軸方向）に沿った寸法よりも小さい。
【００５０】
第３引出枠側端子部４３は、第３引出枠側厚肉部５３および第３引出枠側薄肉部６３を有している。第３引出枠側薄肉部６３は、第３引出枠側厚肉部５３と第１方向ＤＲ１（Ｘ軸方向）に沿って並んでいる。第３引出枠側薄肉部６３の第２方向ＤＲ２（Ｙ軸方向）に沿った寸法は、第３引出枠側厚肉部５３の第２方向ＤＲ２（Ｙ軸方向）に沿った寸法よりも小さい。
【００５１】
第３ジャンクション部Ｊ３は、第２方向ＤＲ２（Ｙ軸方向）に沿って第３本体部側薄肉部３３を挟み込んでいる。第３ジャンクション部Ｊ３は、第３本体部側薄肉部３３および第３引出枠側薄肉部６３の各々を挟み込むことで第３本体部側端子部１３と第３引出枠側端子部４３とを電気的に接続可能である。
【００５２】
図５に示されるように、第４本体部側端子部１４は、第２方向ＤＲ２（Ｙ軸方向）に沿って第３本体部側端子部１３から離れて配置されている。第４本体部側端子部１４は、第４本体部側厚肉部２４および第４本体部側薄肉部３４を有している。第４本体部側薄肉部３４は、第４本体部側厚肉部２４と第１方向ＤＲ１（Ｘ軸方向）に沿って並んでいる。第４本体部側薄肉部３４の第２方向ＤＲ２（Ｙ軸方向）に沿った寸法は、第４本体部側厚肉部２４の第２方向ＤＲ２（Ｙ軸方向）に沿った寸法よりも小さい。第４引出枠側端子部４４は、第２方向ＤＲ２（Ｙ軸方向）に沿って第３引出枠側端子部４３から離れて配置されている。
【００５３】
第４引出枠側端子部４４は、第４引出枠側厚肉部５４および第４引出枠側薄肉部６４を有している。第４引出枠側薄肉部６４は、第４引出枠側厚肉部５４と第１方向ＤＲ１（Ｘ軸方向）に沿って並んでいる。第４引出枠側薄肉部６４の第２方向ＤＲ２（Ｙ軸方向）に沿った寸法は、第４引出枠側厚肉部５４の第２方向ＤＲ２（Ｙ軸方向）に沿った寸法よりも小さい。
【００５４】
第４ジャンクション部Ｊ４は、第２方向ＤＲ２（Ｙ軸方向）に沿って第４本体部側薄肉部３４を挟み込んでいる。第４ジャンクション部Ｊ４は、第２方向ＤＲ２（Ｙ軸方向）に沿って第３ジャンクション部Ｊ３から離れて配置されている。第４ジャンクション部Ｊ４は、第４本体部側薄肉部３４および第４引出枠側薄肉部６４の各々を挟み込むことで第４本体部側端子部１４と第４引出枠側端子部４４とを電気的に接続可能である。
【００５５】
本体部Ｂに流入した電流は、第３本体部側端子部１３および第４本体部側端子部１４において分離した後、出口導体Ｃｏｕｔにおいて合流する。具体的には、本体部Ｂに流入した電流は、第３本体部側端子部１３、第３ジャンクション部Ｊ３および第３引出枠側端子部４３を順次通って出口導体Ｃｏｕｔに流れる。また、本体部Ｂに流入した電流は、第４本体部側端子部１４、第４ジャンクション部Ｊ４および第４引出枠側端子部４４を順次通って出口導体Ｃｏｕｔに流れる。
【００５６】
図７に示されるように、第４本体部側端子部１４は、第４方向（Ｚ軸方向）に沿って第１本体部側端子部１１から離れて配置されている。第４引出枠側端子部４４は、第４方向（Ｚ軸方向）に沿って第１引出枠側端子部４１から離れて配置されている。第４ジャンクション部Ｊ４は、第３方向ＤＲ３（Ｚ軸方向）に沿って第１ジャンクション部Ｊ１から離れて配置されている。
【００５７】
図８に示されるように、本実施の形態に係る引出形遮断器１００は、Ｒ相、Ｓ相およびＴ相の３相の電流が流れるように構成されている。Ｒ相、Ｓ相およびＴ相の電流は、互いに異なる位相を有している。このため、本実施の形態に係る引出形遮断器１００は、いわゆる三相遮断器である。
【００５８】
本体部Ｂは、Ｒ相本体部ＢＲ、Ｓ相本体部ＢＳおよびＴ相本体部ＢＴを含んでいる。Ｒ相本体部ＢＲ、Ｓ相本体部ＢＳおよびＴ相本体部ＢＴは、第２方向ＤＲ２（Ｙ軸方向）に沿って順次配置されている。Ｒ相本体部ＢＲは、Ｒ相の電流が流れるように構成されている。Ｓ相本体部ＢＳは、Ｓ相の電流が流れるように構成されている。Ｔ相本体部ＢＴは、Ｔ相の電流が流れるように構成されている。
【００５９】
本体部側端子１は、Ｒ相本体部側端子部１Ｒと、Ｓ相本体部側端子部１Ｓと、Ｔ相本体部側端子部１Ｔとを含んでいる。Ｒ相本体部側端子部１Ｒは、Ｒ相本体部ＢＲに接続されている。Ｓ相本体部側端子部１Ｓは、Ｓ相本体部ＢＳに接続されている。Ｔ相本体部側端子部１Ｔは、Ｔ相本体部ＢＴに接続されている。
【００６０】
ジャンクションＪは、Ｒ相ジャンクション部ＪＲと、Ｓ相ジャンクション部ＪＳと、Ｔ相ジャンクション部ＪＴとを含んでいる。
【００６１】
引出枠側端子４は、Ｒ相引出枠側端子部４Ｒと、Ｓ相引出枠側端子部４Ｓと、Ｔ相引出枠側端子部４Ｔとを含んでいる。Ｒ相引出枠側端子部４Ｒは、Ｒ相ジャンクション部ＪＲによってＲ相本体部側端子部１Ｒに電気的に接続されている。Ｓ相引出枠側端子部４Ｓは、Ｓ相ジャンクション部ＪＳによってＳ相本体部側端子部１Ｓに電気的に接続されている。Ｔ相引出枠側端子部４Ｔは、Ｔ相ジャンクション部ＪＴによってＴ相本体部側端子部１Ｔに電気的に接続されている。
【００６２】
Ｒ相本体部側端子部１ＲとＲ相引出枠側端子部４Ｒとの第１方向ＤＲ１（Ｘ軸方向）に沿ったＲ相最短距離、Ｔ相本体部側端子部１ＴとＴ相引出枠側端子部４Ｔとの第１方向ＤＲ１（Ｘ軸方向）に沿ったＴ相最短距離およびＳ相本体部側端子部１ＳとＳ相引出枠側端子部４Ｓとの第１方向ＤＲ１（Ｘ軸方向）に沿ったＳ相最短距離の各々は、同じであってもよい。
【００６３】
なお、本実施の形態において、Ｒ相部とは、Ｒ相本体部ＢＲ、Ｒ相本体部側端子部１Ｒ、Ｒ相ジャンクション部ＪＲおよびＲ相引出枠側端子部４Ｒである。また、Ｓ相部とは、Ｓ相本体部ＢＳ、Ｓ相本体部側端子部１Ｓ、Ｓ相ジャンクション部ＪＳおよびＳ相引出枠側端子部４Ｓである。また、Ｔ相部とは、Ｔ相本体部ＢＴ、Ｔ相本体部側端子部１Ｔ、Ｔ相ジャンクション部ＪＴおよびＴ相引出枠側端子部４Ｔである。
【００６４】
図９は、引出形遮断器１００に流れる交流電流の一例を示す。Ｔ相部、Ｓ相部およびＲ相部に流れる電流の実効値は、１５０ｋＡ（力率０．１５）である。図９に示されるように、Ｔ相部に最大の電流が流れる。８ｍｓにおいて、Ｔ相部に３４４．７ｋＡの電流が流れる。８ｍｓにおいて、Ｔ相部に流れる電流は最大である。Ｓ相部には、８ｍｓにおいて、−１９５．４ｋＡの電流が流れる。Ｒ相部には、８ｍｓにおいて、−１４９．３ｋＡの電流が流れる。８ｍｓにおいて、Ｓ相部およびＲ相部に流れる電流の極性は、Ｔ相部に流れる電流の極性と反対である。このため、８ｍｓにおいて、Ｓ相部およびＲ相部に流れる電流の方向は、Ｔ相部に流れる電流の方向と反対である。上記の電流は、事故時の短絡電流を模擬した短時間耐電流試験の電流である。なお、Ｒ相部とＳ相部との距離は、放電が発生しない距離である。また、Ｓ相部とＴ相部の距離は、放電が発生しない距離である。
【００６５】
次に、図１０〜図１３を用いて、実施の形態１に係る引出形遮断器１００に作用する力を説明する。
【００６６】
引出形遮断器１００には、第１バネ部９１（図３参照）および第２バネ部９２（図３参照）による弾性力と、引出形遮断器１００を流れる電流によって生じるローレンツ力とが作用する。引出形遮断器１００を流れる電流によって生じるローレンツ力は、図１０〜図１３に示されるように、以下の第１のローレンツ力Ｆ１、第２のローレンツ力Ｆ２、第３のローレンツ力Ｆ３および第４のローレンツ力Ｆ４に分類される。なお、図１０〜図１３において、電流の流れは、一点鎖線によって図示されている。
【００６７】
図１０に示されるように、第１のローレンツ力Ｆ１は、本体部側端子１とジャンクションＪとの接触点および引出枠側端子４とジャンクションＪとの接触点に流れる電流によって生じる反発力である。接触点の形状は、例えば、半径１ｍｍ以下の円である。ジャンクションＪから接触点を通って本体部側端子１に電流が流れ込む場合、ジャンクションＪにおける接触点の周囲から接触点に向かって流れる電流の方向は、接触点から本体部側端子１における接触点の周囲に向かって流れる電流の方向と反対である。このため、接触点の周囲において、反発力が生じる。したがって、第１のローレンツ力Ｆ１は、ジャンクションＪを本体部側端子１から乖離させる方向に作用する。
【００６８】
図１１に示されるように、第２のローレンツ力Ｆ２は、第１フィンガー７および第２フィンガー８の各々に流れる電流によって生じる吸引力である。第１フィンガー７および第２フィンガー８の各々には、第１方向ＤＲ１（Ｘ軸方向）に沿って同じ向きに電流が流れている。このため、第１フィンガー７および第２フィンガー８には、吸引力が生じる。したがって、第２のローレンツ力Ｆ２は、ジャンクションＪの第１フィンガー７および第２フィンガー８を本体部側端子１に押しつける方向に作用する。なお、第２のローレンツ力Ｆ２の大きさは、第１フィンガー７と第２フィンガー８とが近付くほど大きくなる。
【００６９】
図１２に示されるように、第３のローレンツ力Ｆ３は、第１ジャンクション部Ｊ１および第２ジャンクション部Ｊ２の各々に流れる電流によって生じる吸引力である。第１ジャンクション部Ｊ１および第２ジャンクション部Ｊ２の各々には、第１方向ＤＲ１（Ｘ軸方向）に沿って同じ向きに電流が流れている。このため、第１ジャンクション部Ｊ１の第２フィンガー８と第２ジャンクション部Ｊ２の第１フィンガー７には、吸引力が生じる。よって、第１ジャンクション部Ｊ１の第２フィンガー８には、第１本体部側端子部１１から離れる方向の力が作用し、第２ジャンクション部Ｊ２の第１フィンガー７には、第２本体部側端子部１２から離れる方向の力が作用する。したがって、第３のローレンツ力Ｆ３は、ジャンクションＪを本体部側端子１から乖離させる方向に作用する。なお、第３のローレンツ力Ｆ３の大きさは、第１ジャンクション部Ｊ１と第２ジャンクション部Ｊ２とが遠ざかるほど小さくなる。なお、第３ジャンクション部Ｊ３および第４ジャンクション部Ｊ４には、第３のローレンツ力Ｆ３と同様のローレンツ力が生じる。
【００７０】
図１３に示されるように、第４のローレンツ力Ｆ４は、Ｒ相部、Ｓ相部およびＴ相部を流れる電流によるローレンツ力である。本実施の形態に係る引出形遮断器１００には、３相の交流電流が流れる。このため、隣り合う相部を流れる電流の極性の各々は、タイミングによってそれぞれ逆であることがある。隣り合う相部を流れる電流の極性が逆である場合、第１の相部のジャンクションＪと第２の相部のジャンクションＪとには、互いに離れる方向のローレンツ力が作用する。したがって、第４のローレンツ力Ｆ４がジャンクションＪを本体部側端子１から乖離させる方向に作用することがある。
【００７１】
主に図８および図９を参照して、上記の第１のローレンツ力Ｆ１、第２のローレンツ力Ｆ２、第３のローレンツ力Ｆ３および第４のローレンツ力Ｆ４が本実施の形態に係る引出形遮断器１００に作用する一例を説明する。
【００７２】
図８、図９および図１３に示されるように、Ｔ相部では、８ｍｓにおいて、正極性の電流が紙面右側から紙面左側に向かって流れている。Ｓ相部では、８ｍｓにおいて、負極性の電流が流れている。このため、Ｓ相部を流れる電流とＴ相部を流れる電流の極性は、逆である。よって、Ｔ相ジャンクション部ＪＴとＳ相ジャンクション部ＪＳとには、互いに離れる方向に第４のローレンツ力Ｆ４が作用する。以上より、ジャンクションＪが本体部側端子１から乖離する方向に沿って第１のローレンツ力Ｆ１（図１０参照）、第３のローレンツ力Ｆ３（図１２参照）および第４のローレンツ力Ｆ４（図１３参照）が生じる。また、ジャンクションＪが本体部側端子１に押しつけられる方向に沿って第２のローレンツ力Ｆ２（図１２参照）が生じる。また、ジャンクションＪの第１バネ部９１（図３参照）、第２バネ部９２（図３参照）および枠部９３（図３参照）によってジャンクションＪが本体部側端子１に押しつけられる方向に沿った力が生じる。
【００７３】
仮にジャンクションＪが本体部側端子１から離れる方向に作用するローレンツ力が、ジャンクションＪが本体部側端子１に押しつけられる方向に作用する力よりも大きい場合、ジャンクションＪが本体部側端子１から乖離する。また、ローレンツ力によって本体部側端子１および引出枠側端子４が振動する。本体部側端子１および引出枠側端子４が振動した場合、本体部側端子１および引出枠側端子４と引出形遮断器１００との間にアークが発生する。アークが高温であるため、ジャンクションＪ等の材料が銅（Ｃｕ）である場合、ジャンクション等が溶けることにより、引出形遮断器１００に損傷が生じる可能性がある。
【００７４】
また、仮に引出形遮断器１００に流れる電流が大きい場合、図１４に示されるように、本体部側端子１と引出枠側端子４との第１方向ＤＲ１（Ｘ軸方向）および第２方向ＤＲ２（Ｙ軸方向）の各々における位置がずれる可能性がある。具体的には、電流が事故時の短絡電流または短時間耐電流試験の大電流程度に大きい場合、本体部側端子１と引出枠側端子４との第１方向ＤＲ１（Ｘ軸方向）および第２方向ＤＲ２（Ｙ軸方向）の各々における位置がずれる可能性がある。本体部側端子１と引出枠側端子４との相対位置は、例えば、第１方向ＤＲ１（Ｘ軸方向）に沿って１ｍｍ以上９ｍｍ以下の範囲でずれる可能性がある。また、本体部側端子１は、引出枠側端子４に対して、例えば、第２方向ＤＲ２（Ｙ軸方向）に沿って１ｍｍ以上９ｍｍ以下の範囲で遠ざかる可能性がある。
【００７５】
次に、図３および図６を用いて、引出形遮断器１００に設けられた隙間について説明する。
【００７６】
ジャンクションＪは、ローレンツ力によって第１方向ＤＲ１（Ｘ軸方向）に沿って移動する。図３に示されるように、ジャンクションＪと本体部側厚肉部２との第１方向ＤＲ１（Ｘ軸方向）に沿った第１最短距離Ｄ１は、ジャンクションＪに短時間耐電流試験の最大電流が流れたときのジャンクションＪの第１方向ＤＲ１（Ｘ軸方向）に沿った距離の最大増加量よりも大きい。なお、短時間耐電流試験は、ＪＩＳ規格Ｃ−８２０１−２−１  ４．３．５．４に定められる定格短時間耐電流による試験である。
【００７７】
本体部側薄肉部３は、第１方向ＤＲ１（Ｘ軸方向）における先端部Ｅを有している。ジャンクションＪの本体部側薄肉部３と接触している部分と先端部Ｅとの第１方向ＤＲ１（Ｘ軸方向）に沿った第２最短距離Ｄ２は、短時間耐電流試験の最大電流が流れたときの本体部側端子１と引出枠側端子４との第１方向ＤＲ１（Ｘ軸方向）に沿った距離の最大増加量および第１最短距離Ｄ１の和よりも大きい。
【００７８】
図６に示されるように、第１本体部側薄肉部３１は、第１端部Ｅ１および第１中央側端部Ｅ１ｂを有している。第１端部Ｅ１は、第１ジャンクション部Ｊ１から離れて配置されている。第１端部Ｅ１は、第１ジャンクション部Ｊ１に対して第３本体部側端子部１３とは反対側に配置されている。
【００７９】
第３本体部側薄肉部３３は、第３端部Ｅ３および第３中央側端部Ｅ３ｂを有している。第３端部Ｅ３は、第３ジャンクション部Ｊ３から離れて配置されている。第３端部Ｅ３は、第３ジャンクション部Ｊ３に対して第１本体部側端子部１１とは反対側に配置されている。
【００８０】
ジャンクションＪは、ローレンツ力によって第３方向ＤＲ３（Ｚ軸方向）に沿って移動する。第１端部Ｅ１と第１ジャンクション部Ｊ１との第３方向ＤＲ３（Ｚ軸方向）に沿った第３最短距離Ｄ３は、短時間耐電流試験の最大電流が流れたときの第１ジャンクション部Ｊ１の第３方向ＤＲ３（Ｚ軸方向）に沿った第１最大変位量よりも大きい。第３端部Ｅ３と第３ジャンクション部Ｊ３との第３方向ＤＲ３（Ｚ軸方向）に沿った第４最短距離Ｄ４は、短時間耐電流試験の最大電流が流れたときの第３ジャンクション部Ｊ３の第３方向ＤＲ３（Ｚ軸方向）に沿った第３最大変位量よりも大きい。
【００８１】
また、第１中央側端部Ｅ１ｂと第１ジャンクション部Ｊ１との第３方向ＤＲ３（Ｚ軸方向）に沿った最短距離は、第３最短距離Ｄ３よりも小さい。また、第３中央側端部Ｅ３ｂと第３ジャンクション部Ｊ３との第３方向ＤＲ３（Ｚ軸方向）に沿った最短距離は、第４最短距離Ｄ４よりも小さい。
【００８２】
続いて、本実施の形態の作用効果を説明する。
実施の形態１に係る引出形遮断器１００によれば、図１に示されるように、本体部側薄肉部３の本体部側第１面１Ｓ１および本体部側第２面１Ｓ２は、平坦である。このため、ジャンクションＪの第１フィンガー７および第２フィンガー８が本体部側第１面１Ｓ１および本体部側第２面１Ｓ２を第２方向ＤＲ２（Ｙ軸方向）に沿って挟み込む際に、第１フィンガー７および第２フィンガー８の間隔を本体部側薄肉部３が挟み込まれた状態よりも大きくする必要がない。よって、ジャンクションＪの第１フィンガー７および第２フィンガー８が本体部側薄肉部３を挟み込む際に力を小さくすることができる。したがって、脱着性の低下を抑制することができる。
【００８３】
より詳細には、仮に本体部側第１面１Ｓ１および本体部側第２面１Ｓ２が凹んだ部分と膨らんだ部分とを含んでいる場合には、ジャンクションＪに本体部側端子１が差し込まれる際に、第１フィンガー７および第２フィンガー８の間隔を膨らんだ部分の寸法まで大きくする必要がある。また、ジャンクションＪから本体部側端子１が抜かれる際に、第１フィンガー７および第２フィンガー８の間隔を凹んだ部分の寸法から膨らんだ部分の寸法まで大きくする必要がある。このため、ジャンクションＪと本体部側端子１との挿抜の際に力が必要になるため、脱着性が低下する。本実施の形態によれば、本体部側薄肉部３の本体部側第１面１Ｓ１および本体部側第２面１Ｓ２は、平坦である。これにより、第１フィンガー７および第２フィンガー８の間隔を本体部側薄肉部３が挟み込まれた状態よりも大きくする必要がないため、脱着性の低下を抑制することができる。
【００８４】
図１に示されるように、本体部側薄肉部３の第２方向ＤＲ２（Ｙ軸方向）に沿った寸法は、本体部側厚肉部２の第２方向ＤＲ２（Ｙ軸方向）に沿った寸法よりも小さい。このため、本体部側端子１の全体の厚みが本体部側厚肉部２の厚みと同じである場合よりも、第１フィンガー７と第２フィンガー８との距離を近付けることができる。よって、第１フィンガー７と第２フィンガー８とに流れる電流によるローレンツ力（第２のローレンツ力Ｆ２）を大きくすることができる。第１フィンガー７に流れる電流が第２フィンガー８に流れる電流と第１方向ＤＲ１（Ｘ軸方向）に沿った同じ向きであるため、第１フィンガー７と第２フィンガー８とには互いに近付く向きに吸引力が作用する。以上より、第１フィンガー７と第２フィンガー８とに作用する吸引力を大きくすることができるため、第１フィンガー７および第２フィンガー８が本体部側端子１から乖離することを抑制することができる。
【００８５】
これにより、アークの発弧を抑制することができる。また、第１フィンガー７および第２フィンガー８を本体部側端子１に押しつけるための第１バネ部９１および第２バネ部９２の力を強くする必要がない。これにより、第１バネ部９１および第２バネ部９２の大型化を抑制することができるため、ジャンクションＪの大型化を抑制することができる。
【００８６】
図１に示されるように、本体部側薄肉部３の第２方向ＤＲ２（Ｙ軸方向）に沿った寸法は、本体部側厚肉部２の第２方向ＤＲ２（Ｙ軸方向）に沿った寸法よりも小さい。このため、仮にローレンツ力によってジャンクションＪが第１方向ＤＲ１（Ｘ軸方向）に沿って移動した場合であっても、厚肉部にジャンクションＪが接触することで移動が止まる。これにより、ジャンクションＪの移動によってジャンクションＪが本体部側端子１から外れることを抑制することができる。したがって、ジャンクションＪと本体部側端子１との接触面積が減少することを抑制することができるため、接触抵抗が増加することを抑制することができる。
【００８７】
図１に示されるように、本体部側厚肉部２の第１方向ＤＲ１（Ｘ軸方向）に沿った寸法は、本体部側薄肉部３の第１方向ＤＲ１（Ｘ軸方向）に沿った寸法よりも大きい。このため、本体部側厚肉部２の長さが本体部側薄肉部３の長さよりも短い場合よりも、本体部側端子１の表面積を大きくすることができる。よって、引出形遮断器１００の放熱性が低下することを抑制することができる。したがって、引出形遮断器１００の熱輸送量が低下することを抑制することができる。
【００８８】
図３に示されるように、本体部側薄肉部３の第２方向ＤＲ２（Ｙ軸方向）に沿った寸法は、引出枠側端子４の第２方向ＤＲ２（Ｙ軸方向）に沿った寸法の０．３倍以上かつ１．０倍以下である。本体部側薄肉部３の第２方向ＤＲ２（Ｙ軸方向）に沿った寸法および本体部側厚肉部２との第２方向ＤＲ２（Ｙ軸方向）に沿った寸法の和は、引出枠側端子４の第２方向ＤＲ２（Ｙ軸方向）に沿った寸法の１．５倍以上である。実施例において後述されるように、本体部側端子１の抵抗が増加することを抑制でき、かつ熱コンダクタンスの低下を抑制することができる。したがって、引出形遮断器１００の温度上昇を抑制することができる。
【００８９】
図３に示されるように、ジャンクションＪと本体部側厚肉部２との第１方向ＤＲ１（Ｘ軸方向）に沿った第１最短距離Ｄ１は、ジャンクションＪに短時間耐電流試験の最大電流が流れたときのジャンクションＪの第１方向ＤＲ１（Ｘ軸方向）に沿った距離の最大増加量よりも大きい。このため、ジャンクションＪと本体部側厚肉部２とが接触することを抑制することができる。仮にジャンクションＪと本体部側厚肉部２とが接触する場合、接触と乖離とが繰り返される可能性がある。これにより、発弧が発生する可能性がある。また、火花が発生する可能性がある。本実施の形態によれば、ジャンクションＪと本体部側厚肉部２とが接触することを抑制することができるため、発弧および火花が生じることを抑制することができる。
【００９０】
図３に示されるように、ジャンクションＪと本体部側厚肉部２との第１方向ＤＲ１（Ｘ軸方向）に沿った第１最短距離Ｄ１は、ジャンクションＪに短時間耐電流試験の最大電流が流れたときのジャンクションＪの第１方向ＤＲ１（Ｘ軸方向）に沿った距離の最大増加量よりも大きい。このため、ジャンクションＪと本体部側厚肉部２とが接触することを抑制することができる。これにより、ジャンクションＪの第１バネ部９１および第２バネ部９２が本体部側厚肉部２と接触することを抑制することができる。したがって、第１バネ部９１および第２バネ部９２がずれることで第１フィンガー７および第２フィンガー８への接圧が低下することを抑制することができる。
【００９１】
図３に示されるように、ジャンクションＪの本体部側薄肉部３と接触している部分と先端部Ｅとの第１方向ＤＲ１（Ｘ軸方向）に沿った第２最短距離Ｄ２は、短時間耐電流試験の最大電流が流れたときの本体部側端子１と引出枠側端子４との第１方向ＤＲ１（Ｘ軸方向）に沿った距離の最大増加量および第１最短距離Ｄ１の和よりも大きい。このため、ジャンクションＪが第１方向ＤＲ１（Ｘ軸方向）に沿って移動した場合であっても、ジャンクションＪが本体部側端子１から外れることを抑制することができる。なお、本体部Ｂは、第１方向ＤＲ１（Ｘ軸方向）の引出枠側端子４から本体部側端子１に向かう向きに沿って引出枠Ｆから引き出される。このため、本体部Ｂは、第１方向ＤＲ１（Ｘ軸方向）の本体部側端子１から引出枠側端子４に向かう向きよりも、第１方向ＤＲ１（Ｘ軸方向）の引出枠側端子４から本体部側端子１に向かう向きに沿って移動しやすい。
【００９２】
図３に示されるように、第１本体部側薄肉部３１の第２方向ＤＲ２（Ｙ軸方向）に沿った寸法は、第１本体部側厚肉部２１の第２方向ＤＲ２（Ｙ軸方向）に沿った寸法よりも小さい。第２本体部側薄肉部３２の第２方向ＤＲ２（Ｙ軸方向）に沿った寸法は、第２本体部側厚肉部２２の第２方向ＤＲ２（Ｙ軸方向）に沿った寸法よりも小さい。このため、第１本体部側端子部１１および第２本体部側端子部１２の厚みが均一である場合よりも、第１ジャンクション部Ｊ１の第２フィンガー８と第２ジャンクション部Ｊ２の第１フィンガー７との間隔を大きくすることができる。第１ジャンクション部Ｊ１の第２フィンガー８と第２ジャンクション部Ｊ２の第１フィンガー７とに作用する反発するローレンツ力（第３のローレンツ力Ｆ３）を小さくすることができる。したがって、第１ジャンクション部Ｊ１の第２フィンガー８が第１本体部側端子部１１から乖離することを抑制することができる。また、第２ジャンクション部Ｊ２の第１フィンガー７が第２本体部側端子部１２から乖離することを抑制することができる。以上より、ジャンクションＪが本体部側端子１から乖離することを抑制することができる。
【００９３】
図４に示されるように、ジャンクションＪは、第１ジャンクション部Ｊ１および第２ジャンクション部Ｊ２を含んでいる。このため、ジャンクションＪを流れる電流が分流される。よって、ジャンクションＪが単一である場合よりも、複数のジャンクション部のうち１つのジャンクション部に流れる電流を小さくすることができる。
【００９４】
図６に示されるように、第１端部Ｅ１と第１ジャンクション部Ｊ１との第３方向ＤＲ３（Ｚ軸方向）に沿った第３最短距離Ｄ３は、短時間耐電流試験の最大電流が流れたときの第１ジャンクション部Ｊ１の第３方向ＤＲ３（Ｚ軸方向）に沿った第１最大変位量よりも大きい。第３端部Ｅ３と第３ジャンクション部Ｊ３との第３方向ＤＲ３（Ｚ軸方向）に沿った第４最短距離Ｄ４は、短時間耐電流試験の最大電流が流れたときの第３ジャンクション部Ｊ３の第３方向ＤＲ３（Ｚ軸方向）に沿った第３最大変位量よりも大きい。このため、ジャンクションＪが第３方向ＤＲ３（Ｚ軸方向）に沿って移動した場合であっても、ジャンクションＪが本体部側端子１から外れることを抑制することができる。
【００９５】
これにより、電流が複数のジャンクション部のうち全てのジャンクション部に分流されるため、複数のジャンクション部のうち１つのジャンクション部に電流が集中することを抑制することができる。このため、ジャンクションＪが本体部側端子１から浮きにくくなる。よって、発弧が生じることを抑制することができる。
【００９６】
続いて、電磁界解析による本実施の形態の引出形遮断器１００および第１の比較例に係る引出形遮断器の解析結果を用いて本実施の形態の作用効果を説明する。
【００９７】
電磁界解析は、電磁界解析ソフトフェアＪＭＡＧによる渦電流を考慮した解析である。ジャンクションＪおよび導体に作用する電磁力を計算するために、解析モデルでは、図９に示される三相の交流電流が流れるための引出形遮断器１００が用いられた。また、遮断器１００本体の内部は、簡略化された単純な導体によって模擬された。
【００９８】
電流は、図９に示される三相の短時間耐電流試験の電流であった。電流の実効値は、具体的には、１５０ｋＡｒｍｓであった。
【００９９】
電磁界解析によって、上述した第１〜第４のローレンツ力の合力が算出される。合力の方向がフィンガーを引き離す方向に向いており、かつ合力の大きさがバネによる接圧よりも大きい場合、フィンガーは浮き上がる。すなわち、端子導体からフィンガーを引き離す方向に作用するローレンツ力が、バネのフィンガーを端子導体に押しつける力を上回った時にフィンガーは本体部側端子１から乖離する。
【０１００】
本実施の形態に係る引出形遮断器１００では、薄肉部の厚みは、９ｍｍであった。厚肉部の厚みは、１５ｍｍであった。なお、薄肉部は、本体部側薄肉部３および引出枠側薄肉部６である。また、厚肉部は、本体部側厚肉部２および引出枠側厚肉部５である。第１フィンガー部および第２フィンガー部の数は、計３６本であった。本実施の形態の引出形遮断器１００の電磁界解析は、１５ｍｓまで実施された。
【０１０１】
第１の比較例では、本体部側端子１および引出枠側端子４は均一な厚みを有していた。本体部側端子１および引出枠側端子４の厚みは、１５ｍｍであった。第１フィンガー部および第２フィンガー部の数は、計３６本であった。なお、第１の比較例の電磁界解析は、メモリー容量の制限によって、１１ｍｓまで実施された。
【０１０２】
図１５は、電磁界解析によって算出された短時間耐電流試験での接触数の時間変化を示すグラフである。接触数とは、本体部側端子１および引出枠側端子４に接触している第１フィンガー７の第１フィンガー部および第２フィンガー部ならびに第２フィンガー８の第３フィンガー部および第４フィンガー部の数である。なお、図を見やすくするため、図１５において、実施の形態１の接触数と第１の比較例の接触数と同じである場合、第１の比較例の接触数を示す記号が図示され、実施の形態１の接触数を示す記号は図示されない。
【０１０３】
電磁界解析と実験との比較によれば、接触数が１８本よりも多ければ発弧しない。図１５によれば、第１の比較例では、６ｍｓ以降に接触数が１８本の状態が続くため、発弧する可能性がある。本実施の形態では、接触数が２７本以上の状態が維持されるため、発弧することが抑制される。したがって、本実施の形態によれば、フィンガーが端子導体から乖離することを抑制できる。
【０１０４】
引出形遮断器１００の温度は、定格電流に対する温度上昇試験において規定温度以下に抑えられる必要がある。しかしながら、厚肉部の厚みが変えられることなく薄肉部が設けられた場合、引出形遮断器１００の熱伝導が低下するため、熱輸送量が減少する。本実施の形態では、厚肉部の厚みが厚くなることによって熱輸送量が増加するため、薄肉部による熱輸送量の減少が補われる。
【０１０５】
図１６は、薄肉部の厚みが９ｍｍに固定され、厚肉部の厚みが９ｍｍから増加した場合の第１フィンガー７および第２フィンガー８の間に作用する吸引力が計算された結果を示すグラフである。なお、解析モデルでは、解析の簡単のため、１つのジャンクションＪの１つの第１フィンガー７および第２フィンガー８が解析された。具体的には、記の第１のローレンツ力Ｆ１および第２のローレンツ力Ｆ２による吸引力の和が計算された。厚肉部の厚みが増加した場合であっても、吸引力は低下しなかった。このため、厚肉部の厚みを増加させることによって、薄肉部による熱輸送量の減少を補うことができる。
【０１０６】
実施の形態２．
次に、図１７を用いて、実施の形態２に係る引出形遮断器１００の構成を説明する。実施の形態２は、特に説明しない限り、上記の実施の形態１と同一の構成および作用効果を有している。したがって、上記の実施の形態１と同一の構成には同一の符号を付し、説明を繰り返さない。
【０１０７】
図１７に示されるように、本実施の形態に係る本体部側端子１は、本体部側端子１は、本体部側段部１０を含んでいる。本体部側段部１０は、第１方向ＤＲ１（Ｘ軸方向）に沿って本体部側厚肉部２と本体部側薄肉部３との間に配置されている。第１フィンガー７および第２フィンガー８は、第２方向ＤＲ２（Ｙ軸方向）に沿って間隔を空けて本体部側段部１０を挟み込んでいる。本体部側段部１０の第２方向ＤＲ２（Ｙ軸方向）に沿った寸法は、本体部側薄肉部３の第２方向ＤＲ２（Ｙ軸方向）に沿った寸法よりも大きくかつ本体部側厚肉部２の第２方向ＤＲ２（Ｙ軸方向）に沿った寸法よりも小さい。
【０１０８】
第１方向ＤＲ１（Ｘ軸方向）に沿ったジャンクションＪと本体部側段部１０との最短距離は、第１方向ＤＲ１（Ｘ軸方向）に沿ったジャンクションＪと本体部側厚肉部２との最短距離よりも小さい。第１方向ＤＲ１（Ｘ軸方向）に沿ったジャンクションＪと本体部側段部１０との最短距離は、部品製造公差および組立公差の和であることが望ましい。第１方向ＤＲ１（Ｘ軸方向）に沿ったジャンクションＪと本体部側厚肉部２との最短距離は、部品製造公差および組立公差の和よりも大きいことが望ましい。第１方向ＤＲ１（Ｘ軸方向）に沿ったジャンクションＪと本体部側端子１の先端部Ｅとの最短距離は、部品製造公差、組立公差および最大変位量の和以上であることが望ましい。
【０１０９】
引出枠側端子４は、引出枠側段部４０を含んでいる。引出枠側段部４０は、第１方向ＤＲ１（Ｘ軸方向）に沿って引出枠側厚肉部５と引出枠側薄肉部６との間に配置されている。第１フィンガー７および第２フィンガー８は、第２方向ＤＲ２（Ｙ軸方向）に沿って間隔を空けて引出枠側段部４０を挟み込んでいる。段部の第２方向ＤＲ２（Ｙ軸方向）に沿った寸法は、引出枠側薄肉部６の第２方向ＤＲ２（Ｙ軸方向）に沿った寸法よりも大きくかつ引出枠側厚肉部５の第２方向ＤＲ２（Ｙ軸方向）に沿った寸法よりも小さい。ジャンクションＪと引出枠側段部４０との最短距離の関係は、ジャンクションＪと本体部側段部１０との最短距離の関係と同様である。
【０１１０】
続いて、本実施の形態の作用効果を説明する。
実施の形態２に係る引出形遮断器１００によれば、図１７に示されるように、本体部側段部１０の第２方向ＤＲ２（Ｙ軸方向）に沿った寸法は、本体部側薄肉部３の第２方向ＤＲ２（Ｙ軸方向）に沿った寸法よりも大きくかつ本体部側厚肉部２の第２方向ＤＲ２（Ｙ軸方向）に沿った寸法よりも小さい。このため、本体部側端子１の表面積は、本体部側薄肉部３が本体部側厚肉部２に直接接続されている場合よりも大きい。よって、本体部側端子１の熱抵抗を小さくすることができる。したがって、電流による本体部側端子１の温度上昇を抑制することができる。
【０１１１】
第１方向ＤＲ１（Ｘ軸方向）に沿ったジャンクションＪと本体部側段部１０との最短距離は、第１方向ＤＲ１（Ｘ軸方向）に沿ったジャンクションＪと本体部側厚肉部２との最短距離よりも小さい。このため、ジャンクションＪが第１方向ＤＲ１（Ｘ軸方向）に沿って移動した場合、ジャンクションＪと本体部側厚肉部２とが接触する前に、ジャンクションＪと本体部側段部１０とが接触することでジャンクションＪの移動が抑制される。これにより、ジャンクションＪのズレを小さくすることができる。したがって、ジャンクションＪと本体部側端子１との間に発弧が発生することを抑制することができるため、引出形遮断器１００の信頼性を向上させることができる。
【０１１２】
また、これにより、ジャンクションＪの第１バネ部９１および第２バネ部９２が本体部側厚肉部２に接触することで第１バネ部９１および第２バネ部９２の各々が第１フィンガー７および第２フィンガー８の各々からそれぞれ外れることを抑制することができる。
【０１１３】
実施の形態３．
次に、図１８〜図２０を用いて、実施の形態３に係る引出形遮断器１００の構成を説明する。実施の形態３は、特に説明しない限り、上記の実施の形態１と同一の構成および作用効果を有している。したがって、上記の実施の形態１と同一の構成には同一の符号を付し、説明を繰り返さない。
【０１１４】
図１８に示されるように、本実施の形態に係る本体部側端子１は、本体部側ストッパー部１０Ｓを含んでいる。本体部側ストッパー部１０Ｓは、本体部側厚肉部２から本体部側薄肉部３に沿って配置されている。本体部側ストッパー部１０Ｓの第２方向ＤＲ２（Ｙ軸方向）に沿った寸法は、本体部側薄肉部３よりも大きくかつ本体部側厚肉部２以下である。
【０１１５】
本実施の形態に係る引出枠側端子４は、引出枠側ストッパー部４０Ｓを含んでいる。引出枠側ストッパー部４０Ｓは、引出枠側厚肉部５から引出枠側薄肉部６に沿って配置されている。引出枠側ストッパー部４０Ｓの第２方向ＤＲ２（Ｙ軸方向）に沿った寸法は、引出枠側薄肉部６よりも大きくかつ引出枠側厚肉部５以下である。
【０１１６】
図１９に示されるように、第１フィンガー７は、第１フィンガー部７ａおよび第２フィンガー部７ｂを含んでいる。第１フィンガー７は、例えば、６つの第１フィンガー部７ａおよび３つの第２フィンガー部７ｂを含んでいる。図１９は、図１８のＸＩＸ−ＸＩＸ線に沿った断面図である。なお、説明の便宜のため、図１９では、第１バネ部９１および第２バネ部９２は図示されていない。また、説明の便宜のため、図１９の上下左右のバランスは、図１８とは整合していない。
【０１１７】
第１フィンガー部７ａおよび第２フィンガー部７ｂは、本体部側ストッパー部１０Ｓを本体部側薄肉部３の厚み方向（第３方向ＤＲ３（Ｚ軸方向））に沿って挟み込んでいる。本体部側ストッパー部１０Ｓは、第１フィンガー部７ａおよび第２フィンガー部７ｂに面接触している。
【０１１８】
図２０に示されるように、第２フィンガー８は、第３フィンガー部８ａおよび第４フィンガー部８ｂを含んでいる。第２フィンガー８は、例えば、６つの第３フィンガー部８ａおよび３つの第４フィンガー部８ｂを含んでいる。第３フィンガー部８ａおよび第４フィンガー部８ｂは、本体部側ストッパー部１０Ｓを本体部側薄肉部３の厚み方向（第３方向ＤＲ３（Ｚ軸方向））に沿って挟み込んでいる。本体部側ストッパー部１０Ｓは、第３フィンガー部８ａおよび第４フィンガー部８ｂに面接触している。図２０は、図１８のＸＸ−ＸＸ線に沿った断面図である。なお、説明の便宜のため、図２０では、第１バネ部９１および第２バネ部９２は図示されていない。また、説明の便宜のため、図２０の上下左右のバランスは、図１８とは整合していない。
【０１１９】
第１フィンガー部７ａおよび第２フィンガー部７ｂは、引出枠側ストッパー部４０Ｓを引出枠側薄肉部６の厚み方向（第３方向ＤＲ３（Ｚ軸方向））に沿って挟み込んでいる。引出枠側ストッパー部４０Ｓは、第１フィンガー部７ａおよび第２フィンガー部７ｂに面接触している。第３フィンガー部８ａおよび第４フィンガー部８ｂは、引出枠側ストッパー部４０Ｓを引出枠側薄肉部６の厚み方向（第３方向ＤＲ３（Ｚ軸方向））に沿って挟み込んでいる。引出枠側ストッパー部４０Ｓは、第３フィンガー部８ａおよび第４フィンガー部８ｂに面接触している。
【０１２０】
第１フィンガー７の第１フィンガー部７ａを流れる電流の方向は、第２フィンガー部７ｂを流れる電流の方向と同じである。このため、第１フィンガー部７ａと第２フィンガー部７ｂとの間には、互いに引き合うローレンツ力が生じる。これにより、第１フィンガー７が本体部側ストッパー部１０Ｓに押しつけられる。また、第２フィンガー８の第３フィンガー部８ａおよび第４フィンガー部８ｂも第１フィンガー７と同様に、本体部側ストッパー部１０Ｓに押しつけられる。
【０１２１】
ジャンクションＪには、Ｙ軸方向に作用するローレンツ力およびＺ軸方向に作用するローレンツ力が生じる。具体的には、第１ジャンクション部Ｊ１に流れる電流は、第３ジャンクション部Ｊ３に流れる電流と第１方向ＤＲ１（Ｘ軸方向）に沿って逆の向きに流れるため、第１ジャンクション部Ｊ１には、Ｚ軸方向上向きのローレンツ力が作用する。また、第３ジャンクション部Ｊ３には、Ｚ軸方向下向きのローレンツ力が作用する。
【０１２２】
続いて、本実施の形態の作用効果を説明する。
本実施の形態に係る引出形遮断器１００によれば、図１８〜図２０に示されるように、第１フィンガー部７ａおよび第２フィンガー部７ｂは、本体部側ストッパー部１０Ｓを本体部側薄肉部３の厚み方向（第３方向ＤＲ３（Ｚ軸方向））に沿って挟み込んでいる。第３フィンガー部８ａおよび第４フィンガー部８ｂは、本体部側ストッパー部１０Ｓを本体部側薄肉部３の厚み方向（第３方向ＤＲ３（Ｚ軸方向））に沿って挟み込んでいる。このため、ジャンクションＪがＺ軸方向に沿って移動することを抑制することができる。したがって、ジャンクションＪが本体部側端子１および引出枠側端子４から外れることを抑制することができる。
【０１２３】
図１８〜図２０に示されるように、第１フィンガー部７ａおよび第２フィンガー部７ｂは、本体部側ストッパー部１０Ｓを本体部側薄肉部３の厚み方向（第３方向ＤＲ３（Ｚ軸方向））に沿って挟み込んでいる。第３フィンガー部８ａおよび第４フィンガー部８ｂは、本体部側ストッパー部１０Ｓを本体部側薄肉部３の厚み方向（第３方向ＤＲ３（Ｚ軸方向））に沿って挟み込んでいる。第１〜第４フィンガー部には第３方向ＤＲ３（Ｚ軸方向）に沿ったローレンツ力が作用するため、ジャンクションＪが本体部側端子１に第３方向ＤＲ３（Ｚ軸方向）に沿って押しつけられる。このため、ジャンクションＪが第２方向ＤＲ２（Ｙ軸方向）に沿って移動しようとする際に、ジャンクションＪと本体部側ストッパー部１０Ｓには、摩擦力が生じる。これにより、ジャンクションＪが本体部側ストッパー部１０Ｓに対して移動することを抑制することができる。
【０１２４】
図１８に示されるように、本体部側ストッパー部１０Ｓの第２方向ＤＲ２（Ｙ軸方向）に沿った寸法は、本体部側薄肉部３よりも大きくかつ本体部側厚肉部２以下である。このため、本体部側端子１の断面積が大きくなる。よって、本体部側端子１の熱輸送量が増加する。したがって、本体部側端子１の温度上昇を抑制することができる。
【０１２５】
実施の形態４．
次に、図２１および図２２を用いて、実施の形態４に係る引出形遮断器１００の構成を説明する。実施の形態４は、特に説明しない限り、上記の実施の形態１と同一の構成および作用効果を有している。したがって、上記の実施の形態１と同一の構成には同一の符号を付し、説明を繰り返さない。
【０１２６】
図２１および図２２に示されるように、本実施の形態に係る第１本体部側薄肉部３１は、第１本体部側厚肉部２１の第２方向ＤＲ２（Ｙ軸方向）における第１本体部側端子部１１の中央に対して第２本体部側薄肉部３２とは反対側に配置されている。本実施の形態において、第１本体部側薄肉部３１は、第１本体部側厚肉部２１の第２方向ＤＲ２（Ｙ軸方向）における第２本体部側端子部１２とは反対側の端部から突出している。
【０１２７】
第２本体部側薄肉部３２は、第２本体部側厚肉部２２の第２方向ＤＲ２（Ｙ軸方向）における第２本体部側端子部１２の中央に対して第１本体部側薄肉部３１とは反対側に配置されている。本実施の形態において、第２本体部側薄肉部３２は、第２本体部側厚肉部２２の第２方向ＤＲ２（Ｙ軸方向）における第１本体部側端子部１１とは反対側の端部から突出している。
【０１２８】
続いて、本実施の形態の作用効果を説明する。
実施の形態４に係る引出形遮断器１００によれば、図２２に示されるように、第１本体部側薄肉部３１は、第１本体部側厚肉部２１の第２方向ＤＲ２（Ｙ軸方向）における第２本体部側端子部１２の中央に対して第２本体部側薄肉部３２とは反対側に配置されている。第２本体部側薄肉部３２は、第２本体部側厚肉部２２の第２方向ＤＲ２（Ｙ軸方向）における第１本体部側端子部１１の中央に対して第１本体部側薄肉部３１とは反対側に配置されている。このため、本体部側薄肉部３が本体部側厚肉部２の第２方向ＤＲ２（Ｙ軸方向）における中央に配置されている場合よりも、第１ジャンクション部Ｊ１の第２フィンガー８と第２ジャンクション部Ｊ２の第１フィンガー７との距離を大きくすることができる。よって、第１ジャンクション部Ｊ１の第２フィンガー８と第２ジャンクション部Ｊ２の第１フィンガー７とに作用する吸引力を小さくすることができる。これにより、第１ジャンクション部Ｊ１の第２フィンガー８が第１本体部側端子部１１から乖離することを抑制することができ、第２ジャンクション部Ｊ２の第１フィンガー７が第２本体部側端子部１２から乖離することを抑制することができる。したがって、ジャンクションＪが本体部側端子１から乖離することを抑制することができる。
【０１２９】
これにより、第１方向ＤＲ１（Ｘ軸方向）に沿った本体部側端子１の寸法を変えることなく、ジャンクションＪが本体部側端子１から乖離することを抑制することができる。なお、仮に第１方向ＤＲ１（Ｘ軸方向）に沿った本体部側端子１の寸法が大きくなる場合、隣り合う相同士の距離が近くなるため、第４のローレンツ力Ｆ４が大きくなる。これにより、ジャンクションＪが本体部側端子１から乖離しやすくなるため、引出形遮断器１００の振動が大きくなるという問題が生じる。
【０１３０】
実施の形態５．
次に、図２３を用いて、実施の形態５に係る引出形遮断器１００の構成を説明する。実施の形態５は、特に説明しない限り、上記の実施の形態１と同一の構成および作用効果を有している。したがって、上記の実施の形態１と同一の構成には同一の符号を付し、説明を繰り返さない。
【０１３１】
図２３に示されるように、Ｒ相本体部側端子部１ＲとＲ相引出枠側端子部４Ｒとの第１方向ＤＲ１（Ｘ軸方向）に沿ったＲ相最短距離ＤＲおよびＴ相本体部側端子部１ＴとＴ相引出枠側端子部４Ｔとの第１方向ＤＲ１（Ｘ軸方向）に沿ったＴ相最短距離ＤＴの各々は、Ｓ相本体部側端子部１ＳとＳ相引出枠側端子部４Ｓとの第１方向ＤＲ１（Ｘ軸方向）に沿ったＳ相最短距離ＤＳよりも短い。なお、Ｓ相最短距離ＤＳは、Ｓ相本体部側端子部１ＳとＳ相引出枠側端子部４Ｓとの間の第１方向ＤＲ１（Ｘ軸方向）に沿った最短距離である。Ｔ相最短距離ＤＴは、Ｔ相本体部側端子部１ＴとＴ相引出枠側端子部４Ｔとの間の第１方向ＤＲ１（Ｘ軸方向）に沿った最短距離である。
【０１３２】
Ｒ相本体部側薄肉部３ＲおよびＴ相本体部側薄肉部３Ｔの各々の第１方向ＤＲ１（Ｘ軸方向）に沿った寸法は、Ｓ相本体部側薄肉部３Ｓの第１方向ＤＲ１（Ｘ軸方向）に沿った寸法よりも長い。なお、ジャンクションＪと本体部側厚肉部２との間隔は、Ｒ相部、Ｓ相部およびＴ相部の各々で同じであってもよい。Ｒ相最短距離ＤＲは、Ｒ相本体部側端子部１ＲとＲ相引出枠側端子部４Ｒとの間の第１方向ＤＲ１（Ｘ軸方向）に沿った最短距離である。
【０１３３】
Ｒ相本体部ＢＲ、Ｓ相本体部ＢＳおよびＴ相本体部ＢＴの各々には、第３方向ＤＲ３（Ｚ軸方向）に沿って同じ向きに電流が流れる。Ｒ相本体部ＢＲ、Ｓ相本体部ＢＳおよびＴ相本体部ＢＴの各々を流れる電流によって、Ｒ相本体部ＢＲ、Ｓ相本体部ＢＳおよびＴ相本体部ＢＴの各々に磁束が生じる。Ｒ相本体部ＢＲ、Ｓ相本体部ＢＳおよびＴ相本体部ＢＴの各々に生じた磁束のローレンツ力によって、Ｒ相本体部ＢＲ、Ｓ相本体部ＢＳおよびＴ相本体部ＢＴの各々が第１方向ＤＲ１（Ｘ軸方向）に移動する可能性がある。Ｒ相本体部ＢＲ、Ｓ相本体部ＢＳおよびＴ相本体部ＢＴの各々は、第１方向ＤＲ１（Ｘ軸方向）に沿ってジャンクションＪから離れる向きに移動する可能性がある。Ｒ相本体部ＢＲ、Ｓ相本体部ＢＳおよびＴ相本体部ＢＴの各々に流れる電流の大きさが異なっているため、Ｒ相本体部ＢＲ、Ｓ相本体部ＢＳおよびＴ相本体部ＢＴの各々の移動量も異なっている。本体部Ｂの端部に配置されているＲ相本体部ＢＲおよびＳ相本体部ＢＳの移動量は、本体部の中央に配置されているＴ相本体部ＢＴの移動量よりも大きくなりやすい。このため、仮にＲ相最短距離ＤＲ、Ｓ相最短距離ＤＳおよびＴ相最短距離ＤＴが同じである場合、Ｒ相本体部側端子部１ＲおよびＴ相本体部側端子部１Ｔの各々とジャンクションＪとの接触面積は、Ｓ相本体部側端子部１ＳとジャンクションＪとの接触面積よりも小さくなりやすい。
【０１３４】
続いて、本実施の形態の作用効果を説明する。
実施の形態５に係る引出形遮断器１００によれば、図２３に示されるように、Ｒ相最短距離ＤＲおよびＴ相最短距離ＤＴの各々は、Ｓ相最短距離ＤＳよりも短い。本実施の形態によれば、Ｒ相最短距離ＤＲおよびＴ相最短距離ＤＴの各々は、Ｓ相最短距離ＤＳよりも短い。このため、Ｒ相本体部ＢＲおよびＴ相本体部ＢＴが移動した場合であっても、Ｒ相本体部側端子部１ＲおよびＴ相本体部側端子部１Ｔの各々とジャンクションＪとの接触面積が小さくなることを抑制することができる。これにより、ジャンクションＪが本体部側端子１から乖離することを抑制できるため、発弧が生じることを抑制することができる。
【０１３５】
実施の形態６．
次に、図２４および図２５を用いて、実施の形態６に係る引出形遮断器１００の構成を説明する。実施の形態６は、特に説明しない限り、上記の実施の形態１と同一の構成および作用効果を有している。したがって、上記の実施の形態１と同一の構成には同一の符号を付し、説明を繰り返さない。
【０１３６】
図２４に示されるように、本実施の形態に係る第１フィンガー７は、第１接続部７１と、第１突出部７２とを含んでいる。なお、説明の便宜のため、図２４では、枠部９３は図示されていない。第１接続部７１は、本体部側薄肉部３と引出枠側端子４とを電気的に接続している。第１突出部７２は、本体部側薄肉部３と引出枠側端子４との間で第１接続部７１に接続されている。第１突出部７２は、第２方向ＤＲ２（Ｙ軸方向）に沿って第２フィンガー８に向かって伸びている。
【０１３７】
第２フィンガー８は、第２接続部８１と、第２突出部８２とを含んでいる。第２接続部８１は、本体部側薄肉部３と引出枠側端子４とを電気的に接続している。第２突出部８２は、本体部側薄肉部３と引出枠側端子４との間で第２接続部８１に接続されている。第２突出部８２は、第２方向ＤＲ２（Ｙ軸方向）に沿って第１フィンガー７に向かって伸びている。第２フィンガー８の第２突出部８２は、第１方向ＤＲ１（Ｘ軸方向）および第２方向ＤＲ２（Ｙ軸方向）の各々に直交する方向に沿って、第１フィンガー７の第１突出部７２に重なっている。
【０１３８】
図２５に示されるように、第１方向ＤＲ１（Ｘ軸方向）および第２方向ＤＲ２（Ｙ軸方向）の各々に直交する方向（第３方向ＤＲ３（Ｚ軸方向）、Ｚ軸方向）に沿った第１突出部７２の寸法は、直交する方向に沿った第１接続部７１の寸法よりも小さい。第１突出部７２の第３方向ＤＲ３（Ｚ軸方向）に沿った寸法は、例えば、第１接続部７１の第３方向ＤＲ３（Ｚ軸方向）に沿った寸法の半分である。図２５は、図２４のＸＸＶ−ＸＸＶ線に沿った断面図である。なお、説明の便宜のため、図２５では、本体部側端子１、第１バネ部９１および第２バネ部９２は図示されていない。
【０１３９】
第１方向ＤＲ１（Ｘ軸方向）および第２方向ＤＲ２（Ｙ軸方向）の各々に直交する方向（第３方向ＤＲ３（Ｚ軸方向））に沿った第２突出部８２の寸法は、直交する方向（第３方向ＤＲ３（Ｚ軸方向））に沿った第２接続部８１の寸法よりも小さい。第２突出部８２の第３方向ＤＲ３（Ｚ軸方向）に沿った寸法は、例えば、第２接続部８１の第３方向ＤＲ３（Ｚ軸方向）に沿った寸法の半分である。
【０１４０】
第１突出部７２および第２突出部８２の各々には、貫通孔ＴＨが設けられている。本実施の形態に係るジャンクションＪは、支持部材ＳＭを含んでいる。支持部材ＳＭは、貫通孔ＴＨを貫通している。互いに重ねられた第１フィンガー７および第２フィンガー８は、支持部材ＳＭによって支持されている。貫通孔ＴＨの内径は、支持部材ＳＭの外径よりも大きい。
【０１４１】
第１突出部７２が直交する方向に沿って第２突出部８２に重ねられることで第１フィンガー７が第２フィンガー８に嵌め合わせられているが、支持部材ＳＭによって第１フィンガー７および第２フィンガー８が支持されていれば、第１フィンガー７が第２フィンガー８に嵌め合わせられていなくてもよい。
【０１４２】
続いて、本実施の形態の作用効果を説明する。
実施の形態６に係る引出形遮断器１００によれば、図２４に示されるように、第２フィンガー８の第２突出部８２は、第１方向ＤＲ１（Ｘ軸方向）および第２方向ＤＲ２（Ｙ軸方向）の各々に直交する方向（第３方向ＤＲ３（Ｚ軸方向））に沿って、第１フィンガー７の第１突出部７２に重なっている。このため、第１フィンガー７に流れる電流と第２フィンガー８に流れる電流との距離は、第１フィンガー７および第２フィンガー８が重なっていない場合よりも近い。よって、第１フィンガー７および第２フィンガー８に生じる互いに引き合うローレンツ力が大きくなる。したがって、第１フィンガー７および第２フィンガー８が本体部側端子１から乖離することを抑制することができる。
【０１４３】
次に、図２６〜図２８に示される解析結果を用いて、実施の形態６に係る引出形遮断器１００の作用効果を説明する。
【０１４４】
引出形遮断器１００に作用するローレンツ力が電磁界解析ソフトウェアＪＭＡＧによって解析された。本解析は、渦電流が考慮された解析であった。本実施の形態に係る突出部が設けられた第１フィンガー７（図２４参照）に生じるローレンツ力が計算された。また、突出部が設けられていない第１フィンガー７および第２フィンガー８（図１参照）に生じるローレンツ力とが計算された。ジャンクションＪに流れる電流の実効値は、１５０ｋＡｒｍｓであった。図２６および図２７の矢印は、電流密度ベクトルを示している。本実施の形態に係るジャンクションＪでは、第１突出部７２に電流が流れるため、第２フィンガー８を流れる電流との距離が近かった。このため、互いに引き合うローレンツ力が大きかった。なお、ジャンクションＪと本体部側薄肉部３との接触部およびジャンクションＪと引出枠側薄肉部６との接触部での電流密度は、他の部位よりも大きかった。図２８に示されるように、本実施の形態に係るジャンクションＪに生じるローレンツ力は、突出部が設けられていないジャンクションＪに生じるローレンツ力よりも、１．２倍大きかった。
【０１４５】
実施の形態７．
次に、図２９および図３０を用いて、実施の形態７に係る引出形遮断器の構成を説明する。実施の形態７は、特に説明しない限り、上記の実施の形態６と同一の構成および作用効果を有している。したがって、上記の実施の形態６と同一の構成には同一の符号を付し、説明を繰り返さない。
【０１４６】
図２９および図３０に示されるように、本実施の形態に係る引出形遮断器１００では、第１突出部７２が直交する方向に沿って第２突出部８２に重ねられることで第１フィンガー７が第２フィンガー８に嵌め合わせられている。引出形遮断器１００は、支持部材ＳＭ（図２４参照）を含んでいない。なお、説明の便宜のため、図２９では、枠部９３は図示されていない。図３０は、図２９のＸＸＸ−ＸＸＸ線に沿った断面図である。なお、説明の便宜のため、図３０では、本体部側端子１、第１バネ部９１および第２バネ部９２は図示されていない。
【０１４７】
続いて、本実施の形態の作用効果を説明する。
実施の形態７に係る引出形遮断器１００によれば、図３０に示されるように、第１突出部７２が直交する方向に沿って第２突出部８２に重ねられることで第１フィンガー７が第２フィンガー８に嵌め合わせられている。このため、支持部材ＳＭ（図２４参照）を含んでいない場合であっても、第１フィンガー７および第２フィンガー８が移動することを抑制することができる。
【０１４８】
これにより、ジャンクションＪに貫通孔ＴＨ（図２４参照）を設ける必要がないため、ジャンクションＪの加工を簡略化することができる。
【０１４９】
実施の形態８．
次に、図３１を用いて、実施の形態８に係る引出形遮断器１００の構成を説明する。実施の形態８は、特に説明しない限り、上記の実施の形態７と同一の構成および作用効果を有している。したがって、上記の実施の形態７と同一の構成には同一の符号を付し、説明を繰り返さない。
【０１５０】
図３１に示されるように、本実施の形態に係る引出形遮断器１００では、第１バネ部９１は、第１接続部７１に対して第２接続部８１とは反対側で第１接続部７１に取り付けられている。第２バネ部９２は、第２接続部８１に対して第１接続部７１とは反対側で第２接続部８１に取り付けられている。なお、説明の便宜のため、図３１では、枠部９３は図示されていない。
【０１５１】
第１接続部７１には、第１凹部７３が設けられている。第１凹部７３は、第２方向ＤＲ２（Ｙ軸方向）に沿って第２接続部８１に向かって凹んでいる。第２接続部８１には、第２凹部８３が設けられている。第２凹部８３は、第２方向ＤＲ２（Ｙ軸方向）に沿って第１接続部７１に向かって凹んでいる。第１バネ部９１は、第１凹部７３に沿って変形可能に構成されている。なお、第１バネ部９１は、第１凹部７３に接触しない。第２バネ部９２は、第２凹部８３に沿って変形可能に構成されている。なお、第２バネ部９２は、第２凹部８３に接触しない。
【０１５２】
続いて、本実施の形態の作用効果を説明する。
実施の形態８に係る引出形遮断器１００によれば、図３０に示されるように、第１バネ部９１は、第１フィンガー７の第１凹部７３に沿って変形可能に構成されている。第２バネ部９２は、第２フィンガー８の第２凹部８３に沿って変形可能に構成されている。このため、第１フィンガー７および第２フィンガー８が直線形状を有している場合（図３参照）よりも、第１バネ部９１および第２バネ部９２が変形することができる。よって、バネ定数を大きくすることなくジャンクションＪを本体部側端子１に押しつける力を大きくすることができる。
【実施例】
【０１５３】
次に、実施例および第２の比較例を用いて、本体部側薄肉部３と本体部側厚肉部２の厚さが端子の抵抗と熱伝導に与える影響を説明する。【０１５４】
実施例における引出形遮断器１００は、実施の形態１に係る引出形遮断器１００（図１参照）である。本体部側端子１の端子厚さ（第２方向ＤＲ２（Ｙ軸方向）に沿った寸法）の基準は、引出枠側端子４の厚さ１５ｍｍとした。【０１５５】
本体部側端子１および引出枠側端子４の幅（第３方向ＤＲ３（Ｚ軸方向）に沿った寸法）は、５０ｍｍであった。本体部側端子１および引出枠側端子４の長さ（第１方向ＤＲ１（Ｘ軸方向）に沿った寸法）は、４０ｍｍであった。なお、ジャンクションＪと接続された際に、本体部側端子１および引出枠側端子４の端から３ｍｍには電流が流れなかった。このため、本体部側端子１および引出枠側端子４の電流が流れる部位の長さは、３７ｍｍであった。また、本体部側厚肉部２および引出枠側厚肉部５の長さは、２５ｍｍであった。よって、本体部側薄肉部３および引出枠側薄肉部６の電流が流れる部位の長さは、１２ｍｍであった。【０１５６】
本体部側端子１および引出枠側端子４の材料は、銅（Ｃｕ）であった。銅（Ｃｕ）の体積抵抗率ρは、例えば、２．２３×１０-8Ωｍである。銅（Ｃｕ）の熱伝導率λは、例えば、３９８Ｗ／（ｍＫ）である。【０１５７】
第２の比較例では、本体部側端子１および引出枠側端子４は均一な厚さを有していた。本体部側端子１および引出枠側端子４の厚さは、１５ｍｍであった。また、第２の比較例での本体部側端子１および引出枠側端子４の幅、長さおよび電流が流れる部位の長さは、実施例と同じであった。【０１５８】
電流が流れる部位の抵抗Ｒは、体積抵抗率ρ、電流が流れる部位の長さＬ、電流が流れる部位の断面積Ｓに基づいて以下の式によって算出される。【０１５９】
Ｒ＝ρ×Ｌ／Ｓ
第２の比較例では、電流が流れる部位の抵抗Ｒは、１．１μΩであった。【０１６０】
また、熱の伝わりやすさ（熱コンダクタンスＧ（Ｗ／Ｋ））は、熱伝導率λ、熱伝達長さＬ、断面積Ｓに基づいて以下の式によって算出される。【０１６１】
Ｇ＝λ×Ｓ／Ｌ
第２の比較例では、熱コンダクタンスは、８Ｗ／Ｋであった。【０１６２】
薄肉部の厚さが１４ｍｍから１ｍｍずつ薄くされ、かつ薄肉部の抵抗および厚肉部の抵抗の和が第２の比較例と同じ１．１μΩを維持するように厚肉部の厚さが厚くされた。なお、薄肉部は、本体部側薄肉部３および引出枠側薄肉部６である。また、厚肉部は、本体部側厚肉部２および引出枠側厚肉部５である。図３２は、抵抗が一定値に維持された状態における薄肉部の厚さおよび厚肉部の厚さとの関係を示すグラフである。図３２では、抵抗が１．１μΩである場合における薄肉部の厚さおよび厚肉部の厚さは、実線によって示される。また、抵抗が１．５μΩ以下である場合における薄肉部の厚さおよび厚肉部の厚さは、破線によって示される。【０１６３】
抵抗値が一定値に維持されるためには、薄肉部の厚さが薄くなるにつれて、厚肉部の厚さが厚くなる必要がある。また、薄肉部の厚さ６．５ｍｍには、変曲点がある。薄肉部の厚さが６．５ｍｍ以下では、厚肉部の厚さが極端に厚くなる必要がある。【０１６４】
なお、厚肉部の厚さが５０ｍｍ以上である場合、隣り合う相の端子との距離が近くなるため、隣り合う相の端子を流れる電流によって生じるローレンツ力が大きくなる。このため、厚肉部の厚さが５０ｍｍ以上である場合、引出形遮断器１００への適用が難しい。【０１６５】
図３２に示される薄肉部および厚肉部の厚さの範囲において、薄肉部の厚さを変えたとしても、熱コンダクタンスＧは８Ｗ／Ｋに維持される。【０１６６】
したがって、本実施の形態のように薄肉部が設けられた場合であっても、薄肉部が設けられていない第２の比較例と同様の抵抗および熱コンダクタンスが得られる。【０１６７】
また、薄肉部の厚さが７ｍｍ以上の範囲では、厚肉部の厚さを厚くすることによって、抵抗が小さくなり、かつ熱コンダクタンスが大きくなる。このため、通電容量が増加する。【０１６８】
上記の構造において、厚肉部の厚さと薄肉部の厚さとの和は、略３０ｍｍである。このため、厚肉部の厚さと薄肉部の厚さとの和が基準厚さ（１５ｍｍ）の２倍以上であれば、抵抗および熱コンダクタンスが維持される。また、薄肉部の厚さ６．５ｍｍに変曲点があるため、薄肉部の厚さは、基準厚さ（１５ｍｍ）の０．４３倍以上であることが望ましい。【０１６９】
定格電流が小さい場合等では、抵抗が１．１μΩよりも大きくても定格電流に対する温度上昇が規定温度以下に抑えられ得る。定格電流が小さい場合等において、例えば、抵抗は１．５μΩであってもよい。【０１７０】
抵抗が１．５μΩである場合における薄肉部の厚さおよび厚肉部の厚さの関係が、上記の抵抗が１．１μΩである場合と同様に算出された。薄肉部の厚さが１４ｍｍから１ｍｍずつ薄くされ、かつ薄肉部の抵抗および厚肉部の抵抗の和が１．５μΩを維持するように厚肉部の厚さを厚くされた。薄肉部の厚さが７ｍｍ以上１４ｍｍ以下である範囲では、厚肉部が１５ｍｍの状態で抵抗が１．５μΩ以下であった。このため、薄肉部の厚さが７ｍｍ以上１４ｍｍ以下である範囲では、厚肉部の厚さが１５ｍｍであってもよい。薄肉部の厚さが６ｍｍ以下の範囲では、厚肉部の厚さが厚くなる。薄肉部の厚さ４．５ｍｍには、変曲点がある。また、薄肉部の厚さが４．５ｍｍ以下の範囲では、厚肉部の厚さが極端に厚くなる必要があった。【０１７１】
なお、抵抗が１．５μΩである場合における熱コンダクタンスＧは、薄肉部が薄くなるにつれて、８Ｗ／Ｋから６Ｗ／Ｋに低下する。しかしながら、定格電流が小さい場合は、定格電流に対する温度上昇が規定温度以下に抑えられ得る。また、必要に応じて冷却フィンが取り付けられてもよい。【０１７２】
上記の構造において、厚肉部の厚さと薄肉部の厚さとの和は、略２３ｍｍである。このため、厚肉部の厚さと薄肉部の厚さとの和が基準厚さ（１５ｍｍ）の１．５倍以上であれば、抵抗および熱コンダクタンスが維持される。また、薄肉部の厚さ４．５ｍｍに変曲点があるため、薄肉部の厚さは、基準厚さ（１５ｍｍ）の０．３倍以上であることが望ましい。【０１７３】
今回開示された実施の形態はすべての点で例示であって制限的なものではないと考えられるべきである。本開示の範囲は上記した説明ではなくて請求の範囲によって示され、請求の範囲と均等の意味および範囲内でのすべての変更が含まれることが意図される。
【符号の説明】
【０１７４】
１  本体部側端子、１Ｒ  Ｒ相本体部側端子部、１Ｓ  Ｓ相本体部側端子部、１Ｓ１  本体部側第１面、１Ｓ２  本体部側第２面、１Ｔ  Ｔ相本体部側端子部、２  本体部側厚肉部、３  本体部側薄肉部、４  引出枠側端子、４Ｒ  Ｒ相引出枠側端子部、４Ｓ  Ｓ相引出枠側端子部、４Ｔ  Ｔ相引出枠側端子部、７  第１フィンガー、７ａ  第１フィンガー部、７ｂ  第２フィンガー部、８  第２フィンガー、８ａ  第３フィンガー部、８ｂ  第４フィンガー部、１０  本体部側段部、１１  第１本体部側端子部、１２  第２本体部側端子部、１３  第３本体部側端子部、２１  第１本体部側厚肉部、２２  第２本体部側厚肉部、３１  第１本体部側薄肉部、３２  第２本体部側薄肉部、３３  第３本体部側薄肉部、４１  第１引出枠側端子部、４２  第２引出枠側端子部、４３  第３引出枠側端子部、１００  引出形遮断器、Ｂ  本体部、ＢＲ  Ｒ相本体部、ＢＳ  Ｓ相本体部、ＢＴ  Ｔ相本体部、Ｅ  先端部、Ｅ１  第１端部、Ｅ３  第２端部、Ｆ  引出枠、Ｊ  ジャンクション、Ｊ１  第１ジャンクション部、Ｊ２  第２ジャンクション部、Ｊ３  第３ジャンクション部。
【要約】
引出形遮断器（１００）は、引出枠（Ｆ）と、本体部（Ｂ）と、本体部側端子（１）と、引出枠側端子（４）と、ジャンクション（Ｊ）とを備えている。本体部側端子（１）は、本体部側厚肉部（２）と、本体部側薄肉部（３）とを含んでいる。ジャンクション（Ｊ）の第１フィンガー（７）および第２フィンガー（８）は、本体部側第１面（１Ｓ１）および本体部側第２面（１Ｓ２）を第２方向（ＤＲ２）に沿って挟み込むことで本体部側薄肉部（２）に接続可能である。本体部側薄肉部（２）の第２方向（ＤＲ２）に沿った寸法は、本体部側厚肉部（３）の第２方向（ＤＲ２）に沿った寸法よりも小さい。本体部側薄肉部（２）の本体部側第１面（１Ｓ２）および本体部側第２面（１Ｓ２）は、平坦である。【図１】
0006956915.tif 000002
【図２】
0006956915.tif 000003
【図３】
0006956915.tif 000004
【図４】
0006956915.tif 000005
【図５】
0006956915.tif 000006
【図６】
0006956915.tif 000007
【図７】
0006956915.tif 000008
【図８】
0006956915.tif 000009
【図９】
0006956915.tif 000010
【図１０】
0006956915.tif 000011
【図１１】
0006956915.tif 000012
【図１２】
0006956915.tif 000013
【図１３】
0006956915.tif 000014
【図１４】
0006956915.tif 000015
【図１５】
0006956915.tif 000016
【図１６】
0006956915.tif 000017
【図１７】
0006956915.tif 000018
【図１８】
0006956915.tif 000019
【図１９】
0006956915.tif 000020
【図２０】
0006956915.tif 000021
【図２１】
0006956915.tif 000022
【図２２】
0006956915.tif 000023
【図２３】
0006956915.tif 000024
【図２４】
0006956915.tif 000025
【図２５】
0006956915.tif 000026
【図２６】
0006956915.tif 000027
【図２７】
0006956915.tif 000028
【図２８】
0006956915.tif 000029
【図２９】
0006956915.tif 000030
【図３０】
0006956915.tif 000031
【図３１】
0006956915.tif 000032
【図３２】
0006956915.tif 000033